(57)【特許請求の範囲】
【請求項１】
受信装置であって、
同期信号を受信するよう構成される受信モジュールであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスは次のように生成され、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスの長さは異なる、受信モジュールと、
処理モジュールであって、前記受信装置によりローカルに格納された前記Ｎ１個の汎用ＺＣシーケンスの各々を用いて前記同期信号に対して第１スライド相関演算を実行し、ローカルに格納されたＮ２個の汎用ＺＣシーケンスの少なくとも２つのグループをトラバースして、Ｎ２個の汎用ＺＣシーケンスの各グループの中の各汎用ＺＣシーケンスを用いて前記受信した同期信号に対して第２スライド相関演算を実行し、各第１スライド相関演算の結果及び各第２スライド相関演算の結果に従いシンボルタイミング同期を実行し、異なるセルが異なる第２信号に対応する場合、各第１スライド相関演算の前記結果及び各第２スライド相関演算の前記結果に従い、前記受信装置の位置するセルのセル識別子を決定する、又は、異なるセルグループが異なる第２信号に対応する場合、各第１スライド相関演算の前記結果及び各第２スライド相関演算の前記結果に従い、前記受信装置の位置するセルグループのセルグループ識別子を決定する、処理モジュールと、
を含む受信装置。
【請求項２】
前記処理モジュールは、
Ｎ１＝Ｎ２＝１、前記Ｎ１個の汎用ＺＣシーケンスが第１汎用ＺＣシーケンスであり、前記Ｎ２個の汎用ＺＣシーケンスが第２汎用ＺＣシーケンスであるとき、前記受信装置によりローカルに格納された前記第１汎用ＺＣシーケンスを用いて前記同期信号に対して前記第１スライド相関演算を実行し、前記受信装置によりローカルに格納された少なくとも２つの汎用ＺＣシーケンスの各々を用いて前記同期信号に対して前記第２スライド相関演算を実行するよう構成される、請求項１に記載の受信装置。
【請求項３】
前記処理モジュールは、前記第１スライド相関演算及び前記第２スライド相関演算を実行する前に、前記受信装置の周波数オフセット範囲内にありシンボルレートの整数倍である各周波数オフセットｆｉを決定するよう更に構成され、
前記受信装置によりローカルに格納された前記第１汎用ＺＣシーケンスを用いて前記同期信号に対して前記第１スライド相関演算を実行するとき、前記処理モジュールは、
各決定された周波数オフセットｆｉについて、計算により前記周波数オフセットの中のスライド相関ピークＣｏｒｒ１＿ｆｉを得るために、前記第１汎用ＺＣシーケンスを用いて前記同期信号に対してスライド相関演算を実行するよう構成され、ここで、ｉ＝１，．．．，及びＰであり、ｉ及びＰは正整数であり、Ｐは決定された周波数オフセット量であり、
前記受信装置によりローカルに格納された前記少なくとも２つの第２汎用ＺＣシーケンスの各々を用いて前記同期信号に対して前記第２スライド相関演算を実行するとき、前記処理モジュールは、
各決定された周波数オフセットｆｉについて、計算により前記周波数オフセットの中の前記第２汎用ＺＣシーケンスの中のスライド相関ピークＣｏｒｒ２＿ｆｉ＿Ｓｊを得るために、前記第２汎用ＺＣシーケンスを用いて前記同期信号に対してスライド相関演算を実行するよう構成され、ここで、ｊ＝１，．．．，及びＱであり、ｊ及びＱは正整数であり、Ｑはローカルに格納された第２汎用ＺＣシーケンスの数であり、
各第１スライド相関演算の前記結果及び各第２スライド相関演算の前記結果に従い前記シンボルタイミング同期を実行するとき、前記処理モジュールは、
全ての周波数オフセットｆｉから、各得られたスライド相関ピークＣｏｒｒ１＿ｆｉ及び各得られたスライド相関ピークＣｏｒｒ２＿ｆｉ＿Ｓｊに従い、実際の周波数オフセットに最も近い周波数オフセットｆ０及び前記受信装置の位置する前記セルに対応する第２汎用ＺＣシーケンスＳ０を決定し、前記決定した周波数オフセットｆ０に対応するスライド相関ピークＣｏｒｒ１＿ｆ０の時間ドメイン位置、前記決定した周波数オフセットｆ０の中の前記第２汎用ＺＣシーケンスＳ０の中のスライド相関ピークＣｏｒｒ２＿ｆ０＿Ｓ０の時間ドメイン位置、及び予め知られ且つ前記同期信号の中の前記第１汎用ＺＣシーケンスにより占有される開始シンボルの時間ドメイン位置と前記同期信号の中の前記第２汎用ＺＣシーケンスにより占有される開始シンボルの時間ドメイン位置との間の距離に従い、前記シンボルタイミング同期を実行するよう構成される、
請求項２に記載の受信装置。
【請求項４】
各第１スライド相関演算の前記結果及び各第２スライド相関演算の前記結果に従い、前記受信装置の位置する前記セルの前記セル識別子を決定するとき、前記処理モジュールは、前記受信装置により予め格納された、セル識別子と第２汎用ＺＣシーケンスとの間の対応に従い、前記第２汎用ＺＣシーケンスＳ０に対応するセル識別子が前記受信装置の位置する前記セルの前記セル識別子であることを決定するよう構成され、及び／又は、
各第１スライド相関演算の前記結果及び各第２スライド相関演算の前記結果に従い、前記受信装置の位置する前記セルグループの前記セルグループ識別子を決定するとき、前記処理モジュールは、前記受信装置により予め格納された、セルグループ識別子と第２汎用ＺＣシーケンスとの間の対応に従い、前記第２汎用ＺＣシーケンスＳ０に対応するセルグループ識別子が前記受信装置の位置する前記セルグループの前記セルグループ識別子であることを決定するよう構成される、
請求項３に記載の受信装置。
【請求項５】
前記処理モジュールは、
スライド相関ピークＣｏｒｒ＿ｍａｘに対応する周波数オフセットがｆ０であることを決定し、ここでＣｏｒｒ＿ｍａｘ＝ＭＡＸｉ，ｊ｛Ｃｏｒｒ１＿ｆｉ＋Ｃｏｒｒ２＿ｆｉ＿Ｓｊ｝であり、前記スライド相関ピークＣｏｒｒ＿ｍａｘに対応する第２汎用ＺＣシーケンスがＳ０であることを決定するよう構成される、請求項３又は４に記載の受信装置。
【請求項６】
前記処理モジュールは、
全ての得られたＣｏｒｒ１＿ｆｉの中の最大スライド相関ピークに対応する周波数オフセットが全ての得られたＣｏｒｒ２＿ｆｉ＿Ｓｊの中の最大スライド相関ピークに対応する周波数オフセットに等しい場合、ｆ０が前記対応する周波数オフセットであることを決定し、全てのＣｏｒｒ２＿ｆ０＿Ｓｊの中の最大スライド相関ピークに対応する第２汎用ＺＣシーケンスがＳ０であることを決定するよう構成される、請求項３又は４に記載の受信装置。
【請求項７】
送信装置であって、
同期信号を決定するよう構成される処理モジュールであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスは次のように生成され、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスの長さは異なる、処理モジュールと、
前記処理モジュールにより決定された前記同期信号を送信するよう構成される送信モジュールであって、前記同期信号はシンボルタイミング同期のために使用され、異なるセルが異なる第２信号に対応する場合、前記同期信号はセル識別子を決定するために更に使用される、又は、異なるセルグループが異なる第２信号に対応する場合、前記同期信号はセルグループ識別子を決定するために更に使用される、送信モジュールと、
を含む送信装置。
【請求項８】
Ｎ１＝Ｎ２＝１である、請求項７に記載の送信装置。
【請求項９】
前記同期信号は、キャリア周波数同期のために更に使用される、請求項７又は８に記載の送信装置。
【請求項１０】
前記第１信号及び前記第２信号は、時分割及び／又は周波数分割方法で送信され、
前記第１信号の中の前記Ｎ１個の汎用ＺＣシーケンスは、時分割及び／又は周波数分割方法で送信され、
前記第２信号の中の前記Ｎ２個の汎用ＺＣシーケンスは、時分割及び／又は周波数分割方法で送信される、
請求項７乃至９のいずれか一項に記載の送信装置。
【請求項１１】
シンボルタイミング同期方法であって、
送信装置により送信された同期信号を受信するステップであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスは次のように生成され、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスの長さは異なる、ステップと、
ローカルに格納されたＮ１個の汎用ＺＣシーケンスの各々を用いて前記受信した同期信号に対して第１スライド相関演算を実行するステップと、
ローカルに格納されたＮ２個の汎用ＺＣシーケンスの少なくとも２つのグループをトラバースして、Ｎ２個の汎用ＺＣシーケンスの各グループの中の各汎用ＺＣシーケンスを用いて前記受信した同期信号に対して第２スライド相関演算を実行するステップと、
各第１スライド相関演算の結果及び各第２スライド相関演算の結果に従いシンボルタイミング同期を実行するステップであって、異なるセルが異なる第２信号に対応する場合、各第１スライド相関演算の前記結果及び各第２スライド相関演算の前記結果に従い、現在の受信装置の位置するセルのセル識別子を決定する、又は、異なるセルグループが異なる第２信号に対応する場合、各第１スライド相関演算の前記結果及び各第２スライド相関演算の前記結果に従い、前記現在の受信装置の位置するセルグループのセルグループ識別子を決定する、ステップと、
を含む方法。
【請求項１２】
Ｎ１＝Ｎ２＝１であり、
前記Ｎ１個の汎用ＺＣシーケンスは第１汎用ＺＣシーケンスであり、前記Ｎ２個の汎用ＺＣシーケンスは第２汎用ＺＣシーケンスであり、
前記受信した同期信号に対して第１スライド相関演算を実行する前記ステップは、前記ローカルに格納された第１汎用ＺＣシーケンスを用いて前記受信した同期信号に対して前記第１スライド相関演算を実行するステップを含み、
ローカルに格納されたＮ２個の汎用ＺＣシーケンスの少なくとも２つのグループの各々をトラバースし、トラバースした汎用ＺＣシーケンスの各グループについて、Ｎ２個の汎用ＺＣシーケンスの前記グループの中の各汎用ＺＣシーケンスを用いて前記受信した同期信号に対して第２スライド相関演算を実行するステップは、
少なくとも２つのローカルに格納された第２汎用ＺＣシーケンスの各々を用いて前記受信した同期信号に対して前記第２スライド相関演算を実行するステップを含む、
請求項１１に記載の方法。
【請求項１３】
前記第１スライド相関演算及び前記第２スライド相関演算が実行される前に、前記方法は、前記現在の受信装置の周波数オフセット内であり且つシンボルレートの整数倍である各周波数オフセットｆｉを決定するステップを更に含み、
前記ローカルに格納された第１汎用ＺＣシーケンスを用いて前記受信した同期信号に対して前記第１スライド相関演算を実行する前記ステップは、
各々の決定した周波数オフセットｆｉについて、計算により前記周波数オフセットの中のスライド相関ピークＣｏｒｒ１＿ｆｉを得るために、前記第１汎用ＺＣシーケンスを用いて前記受信した同期信号に対してスライド相関演算を実行するステップであって、ｉ＝１，．．．，及びＰであり、ｉ及びＰは正整数であり、Ｐは決定した周波数オフセットの量である、ステップを含み、
少なくとも２つのローカルに格納された第２汎用ＺＣシーケンスの各々を用いて前記受信した同期信号に対して前記第２スライド相関演算を実行する前記ステップは、
各々の決定した周波数オフセットｆｉについて、前記少なくとも２つのローカルに格納された第２汎用ＺＣシーケンスの各々をトラバースし、各々のトラバースした第２汎用ＺＣシーケンスＳｊについて、計算により前記周波数オフセットの中の前記第２汎用ＺＣシーケンスにおけるスライド相関ピークＣｏｒｒ２＿ｆｉ＿Ｓｊを得るために、前記第２汎用ＺＣシーケンスを用いて前記受信した同期信号に対してスライド相関演算を実行するステップであって、ｊ＝１，．．．，及びＱであり、ｊ及びＱは正整数であり、Ｑローカルに格納された第２汎用ＺＣシーケンスの数である、ステップを含み、
各第１スライド相関演算の結果及び各第２スライド相関演算の結果に従いシンボルタイミング同期を実行する前記ステップは、
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定し、前記決定した周波数オフセットｆ０に対応するスライド相関ピークＣｏｒｒ１＿ｆｉの時間ドメイン位置、前記決定した周波数オフセットｆ０の中の前記第２汎用ＺＣシーケンスＳ０の中のスライド相関ピークＣｏｒｒ２＿ｆ０＿Ｓ０の時間ドメイン位置、及び予め知られ且つ前記受信した同期信号の中の前記第１汎用ＺＣシーケンスにより占有される開始シンボルの時間ドメイン位置と前記受信した同期信号の中の前記第２汎用ＺＣシーケンスにより占有される開始シンボルの時間ドメイン位置との間の距離に従い、前記シンボルタイミング同期を実行するステップを含む、
請求項１２に記載の方法。
【請求項１４】
各第１スライド相関演算の前記結果及び各第２スライド相関演算の前記結果に従い、現在の受信装置の位置するセルのセル識別子を決定する前記ステップは、セル識別子と第２汎用ＺＣシーケンスとの間の予め格納された対応に従い、前記第２汎用ＺＣシーケンスＳ０に対応するセル識別子が前記現在の受信装置の位置する前記セルの前記セル識別子であることを決定するステップを含み、及び／又は、
各第１スライド相関演算の前記結果及び各第２スライド相関演算の前記結果に従い、前記現在の受信装置の位置するセルグループのセルグループ識別子を決定する前記ステップは、セルグループ識別子と第２汎用ＺＣシーケンスとの間の予め格納された対応に従い、前記第２汎用ＺＣシーケンスＳ０に対応するセルグループ識別子が前記現在の受信装置の位置する前記セルグループの前記セルグループ識別子であることを決定するステップを含む、
請求項１３に記載の方法。
【請求項１５】
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定する前記ステップは、
スライド相関ピークＣｏｒｒ＿ｍａｘに対応する周波数オフセットがｆ０であることを決定するステップであって、Ｃｏｒｒ＿ｍａｘ＝ＭＡＸｉ，ｊ｛Ｃｏｒｒ１＿ｆｉ＋Ｃｏｒｒ２＿ｆｉ＿Ｓｊ｝である、ステップと、
前記スライド相関ピークＣｏｒｒ＿ｍａｘに対応する第２汎用ＺＣシーケンスがＳ０であることを決定するステップと、
を含む、請求項１３又は１４に記載の方法。
【請求項１６】
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定する前記ステップは、
全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、ｆ０が前記対応する周波数オフセットであると決定し、全てのＣｏｒｒ２＿ｆ０＿Ｓｊの中の最大スライド相関ピークに対応する第２汎用ＺＣシーケンスがＳ０であると決定するステップを含む、請求項１３又は１４に記載の方法。
【請求項１７】
シンボルタイミング同期方法であって、
同期信号を決定するステップであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスは次のように生成され、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスの長さは異なる、ステップと、
前記同期信号を送信するステップと、
を含む方法。
【請求項１８】
Ｎ１＝Ｎ２＝１であり、
前記Ｎ１個の汎用ＺＣシーケンスは第１汎用ＺＣシーケンスであり、前記Ｎ２個の汎用ＺＣシーケンスは第２汎用ＺＣシーケンスである、請求項１７に記載の方法。
【請求項１９】
前記同期信号は、キャリア周波数同期のために更に使用される、請求項１７又は１８に記載の方法。
【請求項２０】
無線通信システムであって、送信装置及び受信装置を含み、
前記送信装置は、同期信号を送信するよう構成され、
前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスは次のように生成され、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスの長さは異なり、
前記受信装置は、
前記同期信号を受信し、
前記ローカルに格納されたＮ１個の汎用ＺＣシーケンスの各々を用いて前記受信した同期信号に対して第１スライド相関演算を実行し、
ローカルに格納されたＮ２個の汎用ＺＣシーケンスの少なくとも２つのグループをトラバースして、Ｎ２個の汎用ＺＣシーケンスの各グループの中の各汎用ＺＣシーケンスを用いて前記受信した同期信号に対して第２スライド相関演算を実行し、
各第１スライド相関演算の結果及び各第２スライド相関演算の結果に従いシンボルタイミング同期を実行し、異なるセルが異なる第２信号に対応する場合、各第１スライド相関演算の前記結果及び各第２スライド相関演算の前記結果に従い、前記現在の受信装置の位置するセルのセル識別子を決定する、又は、異なるセルグループが異なる第２信号に対応する場合、各第１スライド相関演算の前記結果及び各第２スライド相関演算の前記結果に従い、前記現在の受信装置の位置するセルグループのセルグループ識別子を決定する、
よう構成される、
システム。
【発明の詳細な説明】
【技術分野】
【０００１】
本発明は、無線通信技術の分野に関し、特に、信号送信装置、信号受信装置、シンボルタイミング同期方法、及びシステムに関する。
【背景技術】
【０００２】
機械対機械（machine  to  machine、Ｍ２Ｍ）通信技術が急速に発展するにつれ、市場要件及び規模は近年、爆発的に成長している。
【０００３】
Ｍ２Ｍサービスを備える端末は、低消費電力及び低コストの課題に遭遇している。Ｍ２Ｍ端末の水晶発振器精度は、コスト制約のために比較的低い。したがって、Ｍ２Ｍ端末は、（基地局のような）通信ピアエンドに対して比較的大きな周波数オフセットを有する。信号位相回転が、周波数オフセットにより時間ドメインにおいて生成され得る。
【０００４】
ロングタームエボリューション（Long  Term  Evolution、ＬＴＥ）システムでは、シンボルタイミング同期及びキャリア周波数オフセット推定を実行するために、Ｚａｄｏｆｆ−Ｃｈｕ（ＺＣ）シーケンスが１次同期シーケンスとして使用される。
【０００５】
ＵＥは、ＺＣシーケンスの自己相関特徴を使用することによりシンボルタイミング同期を実施する、つまり、スライド相関が実行されるとき相関ピークの生成される位置を用いてシンボル位置及び最適サンプリング点を決定する。方法は、前提条件を有する、つまり、シーケンス期間中に、（周波数オフセットの存在及び送信端と受信端との間の相対的移動に起因して生成される）信号位相偏位は過度に大きくなく、例えばπを超えることができない。
【０００６】
現在、Ｍ２Ｍ端末の水晶発振器精度は、通常、２０百万分率（parts  per  million、ＰＰＭ）である。ＬＴＥシステム内のキャリア周波数が２ＧＨｚである場合には、２０−ＰＰＭ水晶発振器精度は、周波数オフセットが約４０ｋＨｚであることを意味する。ＬＴＥシステム内のシンボルレートが１５ｋＨｚである例が使用される場合、１シンボル内の位相は、６πに近く、４０／１５×２πだけ回転し得る。しかしながら、信号は、通常、時間ドメインにおいて少なくとも１シンボルを占有する。したがって、周波数オフセットが過度に大きいときに、端末は異なる周波数オフセット値に対してブラインドテストを実行することにより周波数オフセットの影響を除去できるだけであるので、このような大きな位相回転を補償するために、グリッド検索が複数回実行される必要がある。グリッド検索の周波数間隔が５０Ｈｚである例では、前述の４０ｋＨｚ周波数オフセットのためにグリッド検索が８００回実行され得る。したがって、Ｍ２Ｍ端末の実装の複雑性は大幅に増大する。
【０００７】
結論として、現在の低コストＭ２Ｍ端末のような比較的低い水晶発振器精度を有する端末では、周波数オフセットのために比較的大きな位相回転が引き起こされ、該比較的大きな位相回転を補償するためにグリッド検索が複数回実行される必要があり、端末の実装複雑性が比較的高い。
【発明の概要】
【０００８】
以上に鑑み、本発明の実施形態は、比較的低い水晶発振器精度を有する端末が比較的大きな周波数オフセットを有するためにシンボルタイミング同期の実装複雑性が高いという問題を解決するために、信号送信装置、信号受信装置、シンボルタイミング同期方法、及びシステムを提供する。
【０００９】
第１の態様によると、本発明の一実施形態は、受信装置であって、
同期信号を受信するよう構成される受信モジュールであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なる、受信モジュールと、
処理モジュールであって、前記受信装置によりローカルに格納された前記Ｎ１個の汎用ＺＣシーケンスの各々を用いて前記同期信号に対して第１スライド相関演算を実行し、ローカルに格納されたＮ２個の汎用ＺＣシーケンスの少なくとも２つのグループをトラバースして、各トラバースしたＮ２個の汎用ＺＣシーケンスのグループについて、Ｎ２個の汎用ＺＣシーケンスの各グループの中の各汎用ＺＣシーケンスを用いて前記受信した同期信号に対して第２スライド相関演算を実行し、各第１スライド相関演算の結果及び各第２スライド相関演算の結果に従いシンボルタイミング同期を実行し、異なるセルが異なる第２信号に対応する場合、各第１スライド相関演算の前記結果及び各第２スライド相関演算の前記結果に従い、前記受信装置の位置するセルのセル識別子を決定する、又は、異なるセルグループが異なる第２信号に対応する場合、各第１スライド相関演算の前記結果及び各第２スライド相関演算の前記結果に従い、前記受信装置の位置するセルグループのセルグループ識別子を決定する、処理モジュールと、を含む受信装置を提供する。
【００１０】
第１の態様を参照して、第１の可能な実装では、
前記処理モジュールは、具体的に、Ｎ１＝Ｎ２＝１、前記Ｎ１個の汎用ＺＣシーケンスが第１汎用ＺＣシーケンスであり、前記Ｎ２個の汎用ＺＣシーケンスが第２汎用ＺＣシーケンスであるとき、前記受信装置によりローカルに格納された前記第１汎用ＺＣシーケンスを用いて前記同期信号に対して前記第１スライド相関演算を実行し、前記受信装置によりローカルに格納された少なくとも２つの汎用ＺＣシーケンスの各々を用いて前記同期信号に対して前記第２スライド相関演算を実行するよう構成される。
【００１１】
第１の態様の第１の可能な実施に関して、第２の可能な実施では、前記処理モジュールは、前記第１スライド相関演算及び前記第２スライド相関演算を実行する前に、前記受信装置の周波数オフセット範囲内にあり且つシンボルレートの整数倍である各周波数オフセットｆｉを決定するよう更に構成され、
前記受信装置によりローカルに格納された前記第１汎用ＺＣシーケンスを用いて前記同期信号に対して前記第１スライド相関演算を実行するとき、前記処理モジュールは、具体的に、
各決定した周波数オフセットｆｉについて、前記第１汎用ＺＣシーケンスを用いて前記同期信号に対してスライド相関演算を実行して、計算により前記周波数オフセットの中のスライド相関ピークＣｏｒｒ１＿ｆｉを取得し、ここでｉ＝１，．．．，及びＰであり、ｉ及びＰは正整数であり、Ｐは決定した周波数オフセットの量である、よう構成され、
前記受信装置によりローカルに格納された前記少なくとも２つの第２汎用ＺＣシーケンスの各々を用いて、前記同期信号に対して前記第２スライド相関演算を実行するとき、前記処理モジュールは、具体的に、
各決定した周波数オフセットｆｉについて、前記受信装置によりローカルに格納された前記少なくとも２つの第２汎用ＺＣシーケンスの各々をトラバースし、各トラバースした第２汎用ＺＣシーケンスＳｊについて、前記第２汎用ＺＣシーケンスを用いて前記同期信号に対してスライド相関演算を実行して、計算により前記周波数オフセットの中の前記第２汎用ＺＣシーケンスの中のスライド相関ピークＣｏｒｒ２＿ｆｉ＿Ｓｊを取得し、ここでｊ＝１，．．．，及びＱであり、ｉ及びＱは正整数であり、Ｑはローカルに格納された第２汎用ＺＣシーケンスの数である、よう構成され、
各第１スライド相関演算の前記結果及び各第２スライド相関演算の前記結果に従い前記シンボルタイミング同期を実行するとき、前記処理モジュールは、具体的に、
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆｉ及び前記受信装置の位置する前記セルに対応する第２汎用ＺＣシーケンスＳ０を決定し、前記決定した周波数オフセットｆ０に対応するスライド相関ピークＣｏｒｒ１＿ｆｉの時間ドメイン位置、前記決定した周波数オフセットｆ０の中の前記第２汎用ＺＣシーケンスＳ０の中のスライド相関ピークＣｏｒｒ２＿ｆ０＿Ｓ０の時間ドメイン位置、及び予め知られ且つ前記同期信号内で前記第１汎用ＺＣシーケンスにより占有される開始シンボルの時間ドメイン位置と前記同期信号内で前記第２汎用ＺＣシーケンスにより占有される開始シンボルの時間ドメイン位置との間の距離に従い、前記シンボルタイミング同期を実行するよう構成される。
【００１２】
第１の態様の第２の可能な実装を参照して、第３の可能な実装では、各第１スライド相関演算の前記結果及び各第２スライド相関演算の前記結果に従い、前記受信装置の位置する前記セルの前記セル識別子を決定するとき、前記処理モジュールは、具体的に、前記受信装置により予め格納された、セル識別子と第２汎用ＺＣシーケンスとの間の対応に従い、前記第２汎用ＺＣシーケンスＳ０に対応するセル識別子が前記受信装置の位置する前記セルの前記セル識別子であることを決定するよう構成され、及び／又は、
各第１スライド相関演算の前記結果及び各第２スライド相関演算の前記結果に従い、前記受信装置の位置する前記セルグループの前記セルグループ識別子を決定するとき、前記処理モジュールは、具体的に、前記受信装置により予め格納された、セルグループ識別子と第２汎用ＺＣシーケンスとの間の対応に従い、前記第２汎用ＺＣシーケンスＳ０に対応するセルグループ識別子が前記受信装置の位置する前記セルグループの前記セルグループ識別子であることを決定するよう構成される。
【００１３】
第１の態様の第２又は第３の可能な実装を参照して、第４の可能な実装では、前記処理モジュールは、具体的に、
スライド相関ピークＣｏｒｒ＿ｍａｘに対応する周波数オフセットがｆ０であることを決定し、ここでＣｏｒｒ＿ｍａｘ＝ＭＡＸｉ，ｊ｛Ｃｏｒｒ１＿ｆｉ＋Ｃｏｒｒ２＿ｆｉ＿Ｓｊ｝であり、前記スライド相関ピークＣｏｒｒ＿ｍａｘに対応する第２汎用ＺＣシーケンスがＳ０であることを決定するよう構成される。
【００１４】
第１の態様の第２又は第３の可能な実装を参照して、第５の可能な実装では、前記処理モジュールは、具体的に、
全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、ｆ０が対応する周波数オフセットであることを決定し、全てのＣｏｒｒ２＿ｆ０＿Ｓｊの中の最大スライド相関ピークに対応する第２汎用ＺＣシーケンスがＳ０であることを決定するよう構成される。
【００１５】
第１の態様の第２乃至第５の可能な実装のいずれか１つを参照して、第６の可能な実装では、
前記第１汎用ＺＣシーケンスは時間ドメインにおいて前記第２汎用ＺＣシーケンスより前にあり、前記シンボルタイミング同期を実行するとき、前記処理モジュールは、具体的に、
前記第１汎用ＺＣシーケンスにより占有される前記開始シンボルの前記位置ｐｏｓ１が
【数１】
0006556950.tif 000002
であることを決定し、ここで、
ｘ１は前記スライド相関ピークＣｏｒｒ１＿ｆ０の前記時間ドメイン位置であり、ｘ２は前記スライド相関ピークＣｏｒｒ１＿ｆ０＿Ｓ０の前記時間ドメイン位置であり、ｘ＝ｘ２−ｘ１であり、ｙは予め知られ且つ前記同期信号内の前記第１汎用ＺＣシーケンスの前記開始点の前記時間ドメイン位置と前記同期信号内の前記第２汎用ＺＣシーケンスの前記開始点の前記時間ドメイン位置との間の距離であり、ｕ１は前記第１汎用ＺＣシーケンスのルートインデックスであり、ｕ２は前記第２汎用ＺＣシーケンスのルートインデックスであり、Ｌ１は前記第１汎用ＺＣシーケンスの長さであり、Ｌ２は前記第２汎用ＺＣシーケンスの長さであり、
前記第１汎用ＺＣシーケンスにより占有される前記開始シンボルの前記決定した位置及び予め知られたシンボル長に従い、前記受信信号内の各シンボルの位置を決定し、
以下の３つの演算：
予め知られ且つフレーム内の前記第１汎用ＺＣシーケンスの相対位置に従い、前記受信信号内のフレーム開始位置を決定する、
予め知られ且つサブフレーム内の前記第１汎用ＺＣシーケンスの相対位置に従い、前記受信信号内のサブフレーム開始位置を決定する、又は、
予め知られ且つタイムスロット内の前記第１汎用ＺＣシーケンスの相対位置に従い、前記受信信号内のタイムスロット開始位置を決定する、
のうちの少なくとも１つを実行する、よう構成される。
【００１６】
第１の態様の第２乃至第６の可能な実装のうちのいずれか１つを参照して、第７の可能な実装では、前記処理モジュールは、
全ての周波数オフセットｆｉから、前記実際の周波数オフセットに最も近い前記周波数オフセットｆ０を決定した後に、前記周波数オフセットｆ０内の前記スライド相関ピークＣｏｒｒ１＿ｆ０の前記時間ドメイン位置、前記周波数オフセットｆ０内の前記第２汎用ＺＣシーケンス内の前記スライド相関ピークＣｏｒｒ２＿ｆ０＿Ｓ０の前記時間ドメイン位置、予め知られ且つ前記同期信号内の前記第１汎用ＺＣシーケンスにより占有される前記開始シンボルの前記時間ドメイン位置と前記同期信号内の前記第２汎用ＺＣシーケンスにより占有される前記開始シンボルの前記時間ドメイン位置との間の距離に従い、前記実際の周波数オフセットＦを決定するよう更に構成される。.
【００１７】
第１の態様の第７の可能な実装を参照して、第８の可能な実装では、
【数２】
0006556950.tif 000003
ここで、Ｂが前記シンボルレートであり、Ｌ１は前記第１汎用ＺＣシーケンスの前記長さであり、Ｌ２は前記第２汎用ＺＣシーケンスの前記長さであり、
ｘ１は前記スライド相関ピークＣｏｒｒ１＿ｆ０の前記時間ドメイン位置であり、ｘ２は前記スライド相関ピークＣｏｒｒ２＿ｆ０＿Ｓ０の前記時間ドメイン位置であり、ｘ＝ｘ２−ｘ１であり、ｙは予め知られ且つ前記同期信号内の前記第１汎用ＺＣシーケンスにより占有される前記開始シンボルの前記時間ドメイン位置と前記同期信号内の前記第２汎用ＺＣシーケンスにより占有される前記開始シンボルの前記時間ドメイン位置との間の距離であり、ｕ１は前記第１汎用ＺＣシーケンスの前記ルートインデックスであり、ｕ２は前記第２汎用ＺＣシーケンスの前記ルートインデックスであり、Ｌ１は前記第１汎用ＺＣシーケンスの前記長さであり、Ｌ２は前記第２汎用ＺＣシーケンスの前記長さである。
【００１８】
第１の態様又は第１の態様の第１乃至第８の可能な実装を参照して、第９の可能な実装では、
前記第１信号及び前記第２信号は、時分割及び／又は周波数分割方法で送信され、
前記第１信号の中の前記Ｎ１個の汎用ＺＣシーケンスは時分割及び／又は周波数分割方法で送信され、
前記第２信号の中の前記Ｎ２個の汎用ＺＣシーケンスは時分割及び／又は周波数分割方法で送信される。
【００１９】
第２の態様によると、本発明の一実施形態は、送信装置であって、
同期信号を決定するよう構成される処理モジュールであって、前記同期信号は第１信号及び前記第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なる、処理モジュールと、
前記処理モジュールにより決定された前記同期信号を送信するよう構成される送信モジュールであって、前記同期信号はシンボルタイミング同期のために使用され、異なるセルが異なる第２信号に対応する場合、前記同期信号はセル識別子を決定するために更に使用される、又は、異なるセルグループが異なる第２信号に対応する場合、前記同期信号はセルグループ識別子を決定するために更に使用される、送信モジュールと、を含む送信装置を提供する。
【００２０】
第２の態様を参照して、第１の可能な実装では、Ｎ１＝Ｎ２＝１である。
【００２１】
第２の態様又は第２の態様の第１の可能な実装を参照して、第２の可能な実装では、前記同期信号はキャリア周波数同期のために更に使用される。
【００２２】
第２の態様又は第２の態様の第１又は第２の可能な実装を参照して、第３の可能な実装では、
前記第１信号及び前記第２信号は、時分割及び／又は周波数分割方法で送信され、
前記第１信号の中の前記Ｎ１個の汎用ＺＣシーケンスは時分割及び／又は周波数分割方法で送信され、
前記第２信号の中の前記Ｎ２個の汎用ＺＣシーケンスは時分割及び／又は周波数分割方法で送信される。
【００２３】
第３の態様によると、本発明の一実施形態は、シンボルタイミング同期方法であって、
送信装置により送信された同期信号を受信するステップであって、前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なる、ステップと、
前記ローカルに格納されたＮ１個の汎用ＺＣシーケンスの各々を用いて前記受信した同期信号に対して第１スライド相関演算を実行するステップと、
ローカルに格納されたＮ２個の汎用ＺＣシーケンスの少なくとも２つのグループをトラバースして、Ｎ２個の汎用ＺＣシーケンスの各グループの中の各汎用ＺＣシーケンスを用いて前記受信した同期信号に対して第２スライド相関演算を実行するステップと、
各第１スライド相関演算の結果及び各第２スライド相関演算の結果に従いシンボルタイミング同期を実行するステップであって、異なるセルが異なる第２信号に対応する場合、各第１スライド相関演算の前記結果及び各第２スライド相関演算の前記結果に従い、現在の受信装置の位置するセルのセル識別子を決定する、又は、異なるセルグループが異なる第２信号に対応する場合、各第１スライド相関演算の前記結果及び各第２スライド相関演算の前記結果に従い、前記現在の受信装置の位置するセルグループのセルグループ識別子を決定する、ステップと、を含む方法を提供する。
【００２４】
第３の態様を参照して、第１の可能な実装では、Ｎ１＝Ｎ２＝１であり、
前記Ｎ１個の汎用ＺＣシーケンスは第１汎用ＺＣシーケンスであり、前記Ｎ２個の汎用ＺＣシーケンスは第２汎用ＺＣシーケンスであり、
前記受信した同期信号に対して第１スライド相関演算を実行する前記ステップは、前記ローカルに格納された第１汎用ＺＣシーケンスを用いて前記受信した同期信号に対して前記第１スライド相関演算を実行するステップを含み、
ローカルに格納されたＮ２個の汎用ＺＣシーケンスの少なくとも２つのグループの各々をトラバースし、トラバースした汎用ＺＣシーケンスの各グループについて、前記Ｎ２個の汎用ＺＣシーケンスのグループの中の各汎用ＺＣシーケンスを用いて前記受信した同期信号に対して第２スライド相関演算を実行するステップは、
少なくとも２つのローカルに格納された第２汎用ＺＣシーケンスの各々を用いて前記受信した同期信号に対して前記第２スライド相関演算を実行するステップを含む。
【００２５】
第３の態様の第１の可能な実装を参照して、第２の可能な実装では、
前記第１スライド相関演算及び前記第２スライド相関演算を実行する前に、前記方法は、前記現在の受信装置の周波数オフセット範囲内にあり且つシンボルレートの整数倍である各周波数オフセットｆｉを決定するステップを更に含み、
前記ローカルに格納された第１汎用ＺＣシーケンスを用いて前記受信した同期信号に対して前記第１スライド相関演算を実行する前記ステップは、
各決定した周波数オフセットｆｉについて、前記第１汎用ＺＣシーケンスを用いて前記受信した同期信号に対してスライド相関演算を実行して、計算により前記周波数オフセットの中のスライド相関ピークＣｏｒｒ１＿ｆｉを取得するステップであって、ｉ＝１，．．．，及びＰであり、ｉ及びＰは正整数であり、Ｐは決定した周波数オフセットの量である、ステップを含み、
少なくとも２つのローカルに格納された第２汎用ＺＣシーケンスの各々を用いて前記受信した同期信号に対して前記第２スライド相関演算を実行する前記ステップは、
各決定した周波数オフセットｆｉについて、前記少なくとも２つのローカルに格納された第２汎用ＺＣシーケンスの各々をトラバースし、各トラバースした第２汎用ＺＣシーケンスＳｊについて、前記第２汎用ＺＣシーケンスを用いて前記受信した同期信号に対してスライド相関演算を実行して、計算により前記周波数オフセット内の前記第２汎用ＺＣシーケンスの中のスライド相関ピークＣｏｒｒ２＿ｆｉ＿Ｓｊを取得し、ここでｊ＝１，．．．，及びＱであり、ｊ及びＱは正整数であり、Ｑはローカルに格納された第２汎用ＺＣシーケンスの数である、ステップを含み、
各第１スライド相関演算の結果及び各第２スライド相関演算の結果に従いシンボルタイミング同期を実行する前記ステップは、
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定し、前記決定した周波数オフセットｆ０に対応するスライド相関ピークＣｏｒｒ１＿ｆ０の時間ドメイン位置、前記決定した周波数オフセットｆ０内の前記第２汎用ＺＣシーケンスＳ０の中のスライド相関ピークＣｏｒｒ２＿ｆ０＿Ｓ０の時間ドメイン位置、及び予め知られ且つ前記同期信号内の前記第１汎用ＺＣシーケンスにより占有される開始シンボルの時間ドメイン位置と前記同期信号内の前記第２汎用ＺＣシーケンスにより占有される開始シンボルの時間ドメイン位置との間の距離に従い、前記シンボルタイミング同期を実行するステップを含む。
【００２６】
第３の態様の第２の可能な実装を参照して、第３の可能な実装では、各第１スライド相関演算の前記結果及び各第２スライド相関演算の前記結果に従い、現在の受信装置の位置するセルのセル識別子を決定する前記ステップは、セル識別子と前記第２汎用ＺＣシーケンスとの間の予め格納された対応に従い、前記第２汎用ＺＣシーケンスＳ０に対応するセル識別子が前記現在の受信装置の位置する前記セルの前記セル識別子であることを決定するステップを含み、及び／又は、
各第１スライド相関演算の前記結果及び各第２スライド相関演算の前記結果に従い、前記現在の受信装置の位置するセルグループのセルグループ識別子を決定する前記ステップは、セルグループ識別子と第２汎用ＺＣシーケンスとの間の予め格納された対応に従い、前記第２汎用ＺＣシーケンスＳ０に対応するセルグループ識別子が前記現在の受信装置の位置する前記セルグループの前記セルグループ識別子であることを決定するステップを含む。
【００２７】
第３の態様の第２又は第３の可能な実装を参照して、第４の可能な実装では、全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定する前記ステップは、
スライド相関ピークＣｏｒｒ＿ｍａｘに対応する周波数オフセットがｆ０であることを決定するステップであって、Ｃｏｒｒ＿ｍａｘ＝ＭＡＸｉ，ｊ｛Ｃｏｒｒ１＿ｆｉ＋Ｃｏｒｒ２＿ｆｉ＿Ｓｊ｝である、ステップと、
前記スライド相関ピークＣｏｒｒ＿ｍａｘに対応する第２汎用ＺＣシーケンスがＳ０であることを決定するステップと、を含む。
【００２８】
第３の態様の第２又は第３の可能な実装を参照して、第５の可能な実装では、全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び前記現在の受信装置の位置する前記セルに対応する第２汎用ＺＣシーケンスＳ０を決定するステップは、
全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、ｆ０が前記対応する周波数オフセットであると決定し、全てのＣｏｒｒ２＿ｆ０＿Ｓｊの中の最大スライド相関ピークに対応する第２汎用ＺＣシーケンスがＳ０であると決定するステップを含む。
【００２９】
第３の態様の第２乃至第５の可能な実装のいずれか１つを参照して、第６の可能な実装では、前記第１汎用ＺＣシーケンスは時間ドメインにおいて前記第２汎用ＺＣシーケンスより前にあり、
前記シンボルタイミング同期は、
前記第１汎用ＺＣシーケンスにより占有される前記開始シンボルの前記位置ｐｏｓ１が
【数３】
0006556950.tif 000004
であることを決定するステップであって、ここで、
ｘ１は前記スライド相関ピークＣｏｒｒ１＿ｆ０の前記時間ドメイン位置であり、ｘ２は前記スライド相関ピークＣｏｒｒ１＿ｆ０＿Ｓ０の前記時間ドメイン位置であり、ｘ＝ｘ２−ｘ１であり、ｙは予め知られ且つ前記同期信号内の前記第１汎用ＺＣシーケンスの前記開始点の前記時間ドメイン位置と前記同期信号内の前記第２汎用ＺＣシーケンスの前記開始点の前記時間ドメイン位置との間の距離であり、ｕ１は前記第１汎用ＺＣシーケンスのルートインデックスであり、ｕ２は前記第２汎用ＺＣシーケンスのルートインデックスであり、Ｌ１は前記第１汎用ＺＣシーケンスの長さであり、Ｌ２は前記第２汎用ＺＣシーケンスの長さである、ステップと、
前記第１汎用ＺＣシーケンスにより占有される前記開始シンボルの前記決定した位置及び予め知られたシンボル長に従い、前記受信信号内の各シンボルの位置を決定するステップと、
以下の３つの演算：
予め知られ且つフレーム内の前記第１汎用ＺＣシーケンスの相対位置に従い、前記受信信号内のフレーム開始位置を決定する、
予め知られ且つサブフレーム内の前記第１汎用ＺＣシーケンスの相対位置に従い、前記受信信号内のサブフレーム開始位置を決定する、又は、
予め知られ且つタイムスロット内の前記第１汎用ＺＣシーケンスの相対位置に従い、前記受信信号内のタイムスロット開始位置を決定する、
のうちの少なくとも１つを実行するステップと、を含む。
【００３０】
第３の態様の第２乃至第６の可能な実装のうちのいずれか１つを参照して、第７の可能な実装では、全ての周波数オフセットｆｉから、前記実際の周波数オフセットに最も近い前記周波数オフセットｆ０を決定するステップの後に、前記方法は、
前記周波数オフセットｆ０内の前記スライド相関ピークＣｏｒｒ１＿ｆ０の前記時間ドメイン位置、前記周波数オフセットｆ０内の前記第２汎用ＺＣシーケンス内の前記スライド相関ピークＣｏｒｒ２＿ｆ０＿Ｓ０の前記時間ドメイン位置、予め知られ且つ前記同期信号内の前記第１汎用ＺＣシーケンスにより占有される前記開始シンボルの前記時間ドメイン位置と前記同期信号内の前記第２汎用ＺＣシーケンスにより占有される前記開始シンボルの前記時間ドメイン位置との間の距離に従い、前記実際の周波数オフセットＦを決定するステップ、を更に含む。
【００３１】
第３の態様の第７の可能な実装を参照して、第８の可能な実装では、
【数４】
0006556950.tif 000005
ここで、Ｂが前記シンボルレートであり、Ｌ１は前記第１汎用ＺＣシーケンスの前記長さであり、Ｌ２は前記第２汎用ＺＣシーケンスの前記長さであり、
ｘ１は前記スライド相関ピークＣｏｒｒ１＿ｆ０の前記時間ドメイン位置であり、ｘ２は前記スライド相関ピークＣｏｒｒ２＿ｆ０＿Ｓ０の前記時間ドメイン位置であり、ｘ＝ｘ２−ｘ１であり、ｙは予め知られ且つ前記同期信号内の前記第１汎用ＺＣシーケンスにより占有される前記開始シンボルの前記時間ドメイン位置と前記同期信号内の前記第２汎用ＺＣシーケンスにより占有される前記開始シンボルの前記時間ドメイン位置との間の距離であり、ｕ１は前記第１汎用ＺＣシーケンスの前記ルートインデックスであり、ｕ２は前記第２汎用ＺＣシーケンスの前記ルートインデックスであり、Ｌ１は前記第１汎用ＺＣシーケンスの前記長さであり、Ｌ２は前記第２汎用ＺＣシーケンスの前記長さである。
【００３２】
第３の態様又は第３の態様の第１乃至第８の可能な実装を参照して、第９の可能な実装では、
前記第１信号及び前記第２信号は、時分割及び／又は周波数分割方法で送信され、
前記第１信号の中の前記Ｎ１個の汎用ＺＣシーケンスは時分割及び／又は周波数分割方法で送信され、
前記第２信号の中の前記Ｎ２個の汎用ＺＣシーケンスは時分割及び／又は周波数分割方法で送信される。
【００３３】
第４の態様によると、本発明の一実施形態は、シンボルタイミング同期方法であって、
同期信号を決定するステップであって、前記同期信号は第１信号及び前記第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なる、ステップと、
前記決定された前記同期信号を送信するステップであって、前記同期信号はシンボルタイミング同期のために使用され、異なるセルが異なる第２信号に対応する場合、前記同期信号はセル識別子を決定するために更に使用される、又は、異なるセルグループが異なる第２信号に対応する場合、前記同期信号はセルグループ識別子を決定するために更に使用される、ステップと、を含む方法を提供する。
【００３４】
第４の態様を参照して、第１の可能な実装では、Ｎ１＝Ｎ２＝１である。
【００３５】
第４の態様又は第４の態様の第１の可能な実装を参照して、第２の可能な実装では、前記同期信号はキャリア周波数同期のために更に使用される。
【００３６】
第４の態様又は第４の態様の第１又は第２の可能な実装を参照して、第３の可能な実装では、
前記第１信号及び前記第２信号は、時分割及び／又は周波数分割方法で送信され、
前記第１信号の中の前記Ｎ１個の汎用ＺＣシーケンスは時分割及び／又は周波数分割方法で送信され、
前記第２信号の中の前記Ｎ２個の汎用ＺＣシーケンスは時分割及び／又は周波数分割方法で送信される。
【００３７】
第５の態様によると、本発明の一実施形態は、無線通信システムであって、送信装置及び受信装置を含み、
前記送信装置は、同期信号を送信するよう構成され、
前記同期信号は第１信号及び第２信号を含み、前記第１信号はＮ１個の汎用ＺＣシーケンスを含み、前記第２信号はＮ２個の汎用ＺＣシーケンスを含み、Ｎ１及びＮ２は正整数であり、前記汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、ここで、
ｕは前記汎用ＺＣシーケンスのルートインデックスであり、ｑは前記汎用ＺＣシーケンスのオフセットインデックスであり、Ｌは前記汎用ＺＣシーケンスの長さであり、Ｌは正整数であり、
異なるセル又は異なるセルグループは異なる第２信号に対応し、
前記Ｎ１個の汎用ＺＣシーケンス及び前記Ｎ２個の汎用ＺＣシーケンスを含む（Ｎ１＋Ｎ２）個の汎用ＺＣシーケンスの中に少なくとも２つの汎用ＺＣシーケンスがあり、前記２つの汎用ＺＣシーケンスのルートインデックスは異なり、
前記受信装置は、
前記同期信号を受信し、
前記ローカルに格納されたＮ１個の汎用ＺＣシーケンスの各々を用いて前記受信した同期信号に対して第１スライド相関演算を実行し、
ローカルに格納されたＮ２個の汎用ＺＣシーケンスの少なくとも２つのグループをトラバースして、Ｎ２個の汎用ＺＣシーケンスの各グループの中の各汎用ＺＣシーケンスを用いて前記受信した同期信号に対して第２スライド相関演算を実行し、
各第１スライド相関演算の結果及び各第２スライド相関演算の結果に従いシンボルタイミング同期を実行し、異なるセルが異なる第２信号に対応する場合、各第１スライド相関演算の前記結果及び各第２スライド相関演算の前記結果に従い、前記現在の受信装置の位置するセルのセル識別子を決定する、又は、異なるセルグループが異なる第２信号に対応する場合、各第１スライド相関演算の前記結果及び各第２スライド相関演算の前記結果に従い、前記現在の受信装置の位置するセルグループのセルグループ識別子を決定する、よう構成される、システムを提供する。
【００３８】
前述の構造の同期信号が使用されるので、受信装置は、スライド相関がＮ１個の汎用ＺＣシーケンスに対して実行されたときに生成されたスライド相関ピークとスライド相関がＮ２個の汎用ＺＣシーケンスに対して実行されたときに生成されたスライド相関ピークとの間の関係に従い、シンボルタイミング同期を実行して良い。これは、低コストＭ２Ｍ端末等が比較的大きな位相回転を補償するためにグリッド検索を複数回実行する必要のある既存方法と比べて、比較的低い実装複雑性を有する。
【００３９】
さらに、同期シーケンスの任意的範囲は、比較的大きな周波数オフセットにおいて比較的小さい。したがって、比較的大きな周波数オフセットにおける同期信号の同期性能が要件を満たし、及び（別のセルからの）同一チャネル干渉の場合に干渉が効果的に耐えられるように、複数のセル間の同期信号の設計は見直される必要がある。
【００４０】
本発明の実施形態では、受信装置は、スライド相関演算に従い、受信装置の位置するセルのセル識別子又は受信装置の位置するセルグループのセルグループ識別子を更に決定して良い。したがって、同期信号は、比較的大きな周波数オフセットにおいて干渉に耐える。例えば、異なるセルの単一周波数ネットワークでは、同期信号は、比較的大きな周波数オフセットにおいてセル間干渉に効果的に耐えることができる。
【００４１】
さらに、受信装置は、スライド相関演算の結果に従い、キャリア周波数同期、つまり周波数オフセット推定を実行して良い。
【図面の簡単な説明】
【００４２】
【図１】本発明の一実施形態による無線通信システムの概略構造図である。
【００４３】
【図２Ａ】２つのシーケンスのスライド相関処理の概略図である。
【００４４】
【図２Ｂ】異なる周波数オフセットにおけるスライド相関ピークの概略図である。
【図２Ｃ】異なる周波数オフセットにおけるスライド相関ピークの概略図である。
【図２Ｄ】異なる周波数オフセットにおけるスライド相関ピークの概略図である。
【図２Ｅ】異なる周波数オフセットにおけるスライド相関ピークの概略図である。
【図２Ｆ】異なる周波数オフセットにおけるスライド相関ピークの概略図である。
【図２Ｇ】異なる周波数オフセットにおけるスライド相関ピークの概略図である。
【図２Ｈ】異なる周波数オフセットにおけるスライド相関ピークの概略図である。
【００４５】
【図３】第１信号及び第２信号を送信する概略図である。
【００４６】
【図４Ａ】スライド相関が第１汎用ＺＣシーケンスに対して実行されるときに生成されるスライド相関ピークの概略図である。
【００４７】
【図４Ｂ】スライド相関が第２汎用ＺＣシーケンスに対して実行されるときに生成されるスライド相関ピークの概略図である。
【００４８】
【図５Ａ】第１信号及び第２信号を送信する概略図である。
【図５Ｂ】第１信号及び第２信号を送信する概略図である。
【図５Ｃ】第１信号及び第２信号を送信する概略図である。
【００４９】
【図５Ｄ】例３において全ての生成されたＺＣシーケンスが同期信号内に配置される方法の概略図である。
【００５０】
【図６】本発明の一実施形態による第１送信装置の概略構造図である。
【００５１】
【図７】本発明の一実施形態による第２送信装置の概略構造図である。
【００５２】
【図８】本発明の一実施形態による第１受信装置の概略構造図である。
【００５３】
【図９】本発明の一実施形態による第２受信装置の概略構造図である。
【００５４】
【図１０】本発明の一実施形態による第１シンボルタイミング同期方法のフローチャートである。
【００５５】
【図１１】本発明の一実施形態による第２シンボルタイミング同期方法のフローチャートである。
【発明を実施するための形態】
【００５６】
本発明の実施形態は、比較的低い水晶発振器精度を有する端末が比較的大きな周波数オフセットを有するためにシンボルタイミング同期の実装複雑性が高いという問題を解決するために、信号送信装置、信号受信装置、シンボルタイミング同期方法、及びシステムを提供する。
【００５７】
本発明の実施形態では、送信装置は同期信号を送信し、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスはＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒである。.
【００５８】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【００５９】
前述の構造の同期信号が使用されるので、受信装置は、スライド相関がＮ１個の汎用ＺＣシーケンスに対して実行されたときに生成されたスライド相関ピークとスライド相関がＮ２個の汎用ＺＣシーケンスに対して実行されたときに生成されたスライド相関ピークとの間の関係に従い、シンボルタイミング同期を実行して良い。これは、低コストＭ２Ｍ端末等が比較的大きな位相回転を補償するためにグリッド検索を複数回実行する必要のある既存方法と比べて、比較的低い実装複雑性を有する。
【００６０】
さらに、同期シーケンスの任意的範囲は、比較的大きな周波数オフセットにおいて比較的小さい。したがって、比較的大きな周波数オフセットにおける同期信号の同期性能が要件を満たし、及び（別のセルからの）同一チャネル干渉の場合に干渉が効果的に耐えられるように、複数のセル間の同期信号の設計は見直される必要がある。
【００６１】
本発明の実施形態では、受信装置は、スライド相関演算に従い、受信装置の位置するセルのセル識別子又は受信装置の位置するセルグループのセルグループ識別子を更に決定して良い。したがって、同期信号は、比較的大きな周波数オフセットにおいて干渉に耐える。例えば、異なるセルの単一周波数ネットワークでは、同期信号は、比較的大きな周波数オフセットにおいてセル間干渉に効果的に耐えることができる。
【００６２】
さらに、受信装置は、スライド相関演算の結果に従い、キャリア周波数同期、つまり周波数オフセット推定を実行して良い。
【００６３】
以下は、添付の図面を参照して本発明の実施形態を詳細に記載する。
【００６４】
先ず、本発明の実施形態で提供される無線通信システムが記載される。次に、本発明の実施形態で提供される送信装置及び受信装置がそれぞれ記載される。最後に、本発明の実施形態で提供されるシンボルタイミング同期方法が記載される。
【００６５】
図１は、本発明の一実施形態による無線通信システムの概略構造図である。図１に示すように、無線通信システムは、送信装置１０１及び受信装置１０２を含む。
【００６６】
送信装置１０１は同期信号を送信し、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌ∈Ｚ＋はＬが正整数であることを示す。
【００６７】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【００６８】
受信装置１０２は、送信装置１０１により送信された前述の同期信号を受信し、ローカルに格納されたＮ１個の汎用ＺＣシーケンスの各々を用いて受信した同期信号に対して第１スライド相関演算を実行し、ローカルに格納されたＮ２個の汎用ＺＣシーケンスの少なくとも２つのグループの各々をトラバースし、トラバースしたＮ２個の汎用ＺＣシーケンスの各グループについて、Ｎ２個の汎用ＺＣシーケンスのグループの中の各汎用ＺＣシーケンスを用いて受信した同期信号に対して第２スライド相関演算を実行し、各第１スライド相関演算の結果及び各第２スライド相関演算の結果に従いシンボルタイミング同期を実行し、異なるセルが異なる第２信号に対応する場合、各第１スライド相関演算の結果及び各第２スライド相関演算の結果に従い受信装置の位置するセルのセル識別子を決定する、又は、異なるセルグループが異なる第２信号に対応する場合、各第１スライド相関演算の結果及び各第２スライド相関演算の結果に従い受信装置の位置するセルグループのセルグループ識別子を決定する、よう構成される。
【００６９】
前述の「Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる」の理由は、全ての汎用ＺＣシーケンスが異なるルートインデックスを有する少なくとも２つのシーケンスを含む限り、スライド相関演算が実行されるとき、シンボルタイミング同期は、異なるルートインデックスを有する２つのシーケンスにより別個に生成されるスライド相関ピーク間の位置関係を用いて達成され得ることである。或いは、全ての汎用ＺＣシーケンスのルートインデックスが同じ場合、スライド相関演算が実行されるとき、全ての汎用ＺＣシーケンスのスライド相関ピークの全てのオフセットは、汎用ＺＣシーケンスの開始位置に対して同じである。この場合、受信装置は、シンボル位置が分からない。したがって、シンボルタイミング同期は実施できない。
【００７０】
本発明の本実施形態で提供される無線通信システムの通信規格は、限定ではないが、グローバルシステム・フォー・モバイルコミュニケーション（Global  System  of  Mobile  communications、ＧＳＭ）、符号分割多元接続（Code  Division  Multiple  Access、ＣＤＭＡ）ＩＳ−９５、符号分割多元接続（Code  Division  Multiple  Access、ＣＤＭＡ）２０００、時分割−同期符号分割多元接続（Time  Division−Synchronous  Code  Division  Multiple  Access、ＴＤ−ＳＣＤＭＡ）、広帯域符号分割多元接続（Wideband  Code  Division  Multiple  Access、ＷＣＤＭＡ）、時分割二重−ロングタームエボリューション（Time  Division  Duplex−Long  Term  Evolution、ＴＤＤ  ＬＴＥ）、周波数分割二重−ロングタームエボリューション（Frequency  Division  Duplex−Long  Term  Evolution、ＦＤＤ  ＬＴＥ）、ロングタームエボリューション・アドバンスト（Long  Term  Evolution−Advanced、ＬＴＥ−ａｄｖａｎｃｅｄ）、簡易型携帯電話（Personal  Handy−phone  System、ＰＨＳ）、８０２．１１プロトコルファミリの中で仕様を定められた無線フィデリティ（Wireless  Fidelity、Ｗｉ−Ｆｉ）、マイクロ波接続のための世界的相互運用（Worldwide  Interoperability  for  Microwave  Access、ＷｉＭＡＸ）、等を含む。
【００７１】
送信装置１０１は、端末又は基地局であって良い。送信装置１０１が端末であるとき、受信装置１０２は基地局であって良く、或いは、送信装置１０１が基地局であるとき、受信装置１０２は端末であって良い。
【００７２】
端末は、限定ではないが、携帯電話機、タブレットコンピュータ、パーソナルデジタルアシスタント（Personal  Digital  Assistant、ＰＤＡ）、ポイントオブセール（Point  of  Sale、ＰＯＳ）、車載コンピュータ、水道メータ、電気メータ、ガスメータ、等を含んで良い。
【００７３】
追加で、基地局は基地局を制御するよう構成された無線リソース管理装置を更に含んで良い、等である。端末は、ユーザ機器、中継ノード、等を含む、基地局と通信する端末装置である。
【００７４】
例えば、ＴＤＤ  ＬＴＥシステム、ＦＤＤ  ＬＴＥシステム、又はＬＴＥ−ＡシステムのようなＬＴＥシステムでは、基地局は進化型ＮｏｄｅＢ（evolved  NodeB、ｅＮｏｄｅＢ）であって良く、端末はＵＥであって良い。ＴＤ−ＳＣＤＭＡシステム又はＷＣＤＭＡシステムでは、基地局は、ＮｏｄｅＢ（ＮｏｄｅＢ）を含み、又はＮｏｄｅＢ及び無線ネットワーク制御部（Radio  Network  Controller、ＲＮＣ）を含んで良く、端末はＵＥであって良い。ＧＳＭシステムでは、基地局は基地局通信局（Base  Transceiver  Station、ＢＴＳ）を含み、又はＢＴＳ及び基地局制御部（Base  Station  Controller、ＢＳＣ）を含んで良く、端末は移動局（Mobile  Station、ＭＳ）である。ＷｉＦｉシステムでは、基地局はアクセスポイント（Access  Point、ＡＰ）及び／又はアクセス制御部（access  controller、ＡＣ）を含んで良く、端末は局（Station、ＳＴＡ）であって良い。
【００７５】
従来の定義では、ＺＣ（Zadoff−Chu）シーケンスは次式のように定められる：
ＺＣ（ｎ）＝ｅ−ｊπｕｎ（ｎ＋１＋２ｑ）／Ｌ，ｑ∈Ｚ，Ｌ∈Ｚ，ｎ＝０，１，．．．，Ｌ−１、ここで、
ｕはＺＣシーケンスのルートインデックスであり、０＜ｕ＜Ｌ，ｕ∈Ｚ、ｇｃｄ（ｕ，Ｌ）＝１であり、ｇｃｄ（Greatest  Common  Divisor）は最大公約数演算を示し、ｇｃｄ（ｕ，Ｌ）＝１はｕがＬと互いに素であることを示す。
【００７６】
本発明の本実施形態は、汎用ＺＣシーケンスを提供する。従来のＺＣシーケンスと比べて、汎用ＺＣシーケンスの式の構造は変わらないが、汎用ＺＣシーケンスのルートインデックスｕが−Ｌ＜ｕ＜Ｌ，ｕ≠０、ｕ∈Ｒを満たす必要があるだけである。つまり、ｕの値範囲は、正整数から実数に拡張され、ｕがＬと互いに素であるという条件が必要ない。
【００７７】
上述のように、第２信号の中の全ての汎用ＺＣシーケンスのルートインデックス、オフセットインデックス、及び長さは同じであって良く、又は異なって良く、異なるセル又は異なるセルグループは異なる第２信号に対応する。
【００７８】
例えば、第２信号は２つの汎用ＺＣシーケンスを含み、２つの汎用ＺＣシーケンスのルートインデックス、オフセットインデックス、及び長さは同じであって良く又は異なって良い。
【００７９】
セル１では、第２信号に含まれる２つの汎用ＺＣシーケンスの両方のルートインデックスはｕａであり、両方のオフセットインデックスはｐａであり、両方の長さはＬａである。セル２では、第２信号に含まれる２つの汎用ＺＣシーケンスの両方のルートインデックスはｕｂであり、両方のオフセットインデックスはｐｂであり、両方の長さはＬｂである。したがって、セル１及びセル２は、異なる第２信号に対応する。
【００８０】
別の例では、セル１では、第２信号に含まれる２つの汎用ＺＣシーケンスの両方のオフセットインデックスはｐａであり、セル２では、第２信号に含まれる２つの汎用ＺＣシーケンスの両方のオフセットインデックスはｐｂである。セル１の第２信号内の汎用ＺＣシーケンスのオフセットインデックスがセル２の第２信号内の汎用ＺＣシーケンスのオフセットインデックスと異なるので、セル１及びセル２は異なる第２信号に対応する。
【００８１】
別の例では、セル１では、第２信号に含まれる２つの汎用ＺＣシーケンスの両方のオフセットインデックスはそれぞれｐａ及びｐｂであり、セル２では、第２信号に含まれる２つの汎用ＺＣシーケンスの両方のオフセットインデックスはそれぞれｐｃ及びｐｄである。セル１の第２信号内の汎用ＺＣシーケンスのオフセットインデックスがセル２の第２信号内の汎用ＺＣシーケンスのオフセットインデックスと異なるので、セル１及びセル２は異なる第２信号に対応する。
【００８２】
別の例では、第２信号は１つの汎用ＺＣシーケンスだけを含む。セル１では、第２信号内の汎用ＺＣシーケンスのルートインデックスはｕａであり、セル２では、第２信号内の汎用ＺＣシーケンスのルートインデックスはｕｂである。セル１の第２信号内の汎用ＺＣシーケンスのルートインデックスがセル２の第２信号内の汎用ＺＣシーケンスのルートインデックスと異なるので、セル１及びセル２は異なる第２信号に対応する。
【００８３】
ここに列挙されない多くの同様の例がある。第２信号内のルートインデックス、オフセットインデックス、又は長さのうちの１又は複数が異なるセルについて異なる限り、異なるセルは異なる第２信号に対応すると考えられる。
【００８４】
同様に、異なるセルグループが異なる第２信号に対応する場合には、第２信号内のルートインデックス、オフセットインデックス、又は長さが異なるセルグループについて異なる限り、異なるセルグループが異なる第２信号に対応すると考えられる。
【００８５】
異なるセルは、ここでは、通常、地理的に近隣の又は隣接するセルであり、異なるセル全てが異なる第２信号に対応するとは限らない。例えば、セルラモバイル通信システムでは、２つのセル間の地理的距離が十分に大きい限り、２つのセル間の干渉は非常に小さいと近似的に考えられる。この場合、２つのセルは同じ第２信号に対応する。
【００８６】
同様に、異なるセルグループは、ここでは、通常、地理的に近隣の又は隣接するセルグループであり、異なるセルグループ全てが異なる第２信号に対応するとは限らない。例えば、セルラモバイル通信システムでは、２つのセルグループ間の地理的距離が十分に大きい限り、２つのセルグループ間の干渉は非常に小さいと近似的に考えられる。この場合、２つのセルグループは同じ第２信号に対応する。
【００８７】
任意で、第１信号及び第２信号内の汎用ＺＣシーケンスは、前述の式ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒを用いて定められる汎用ＺＣシーケンスの中の任意の循環シフトシーケンスであって良い。
【００８８】
任意で、第１信号及び第２信号内の汎用ＺＣシーケンスは、前述の式において定められた汎用ＺＣシーケンスが疑似ランダムシーケンス、ＺＣシーケンス、又はゴールドシーケンスのような任意の別のシーケンスにより乗算された後に得られたシーケンスであって良い。
【００８９】
別のシーケンスにより乗算された、第１信号及び／又は第２信号内の汎用ＺＣシーケンスは、異なるセル、受信装置、フレーム番号、タイムスロット番号、等を区別するために使用されて良い。別のシーケンスは、疑似ランダムシーケンス、ＺＣシーケンス、又はゴールドシーケンスに限定されず、相互相関を有する任意のシーケンスであって良い。送信装置１０１により送信された第１信号又は第２信号が、別のシーケンスにより乗算された汎用ＺＣシーケンスである場合、本発明の本実施形態における処理方法の処理を実行する前に、受信装置１０２は、先ず、第１信号又は第２信号内の汎用ＺＣシーケンスを再生するために、受信信号を別のシーケンスの共役シーケンスにより乗算する。任意で、相関演算は以下の方法で実行されて良い。
【００９０】
シーケンス｛ｊｉ｝１≦ｉ≦ｍ、及びシーケンス｛ｌｉ｝１≦ｉ≦ｍがあるとする。シーケンスｊ及びシーケンスｌの相関演算、及び相関演算により得られる相関値は、
【数５】
0006556950.tif 000006
ここで、ＣＯＲＲは相関演算演算子として定められ、ｃｏｒｒｅｌａｔｉｏｎ＿ｖａｌｕｅはＣＯＲＲ（ｊ，ｌ）の演算結果であり、ＣＯＲＲは相関演算を示し、||  ||はモジュロ演算を示し、ｊｉ−はｊｉの共役演算を示し、Σｍｉ＝１は和を示す。
【００９１】
シーケンス｛ｊｉ｝１≦ｉ≦ｍ、及びシーケンス｛ｌｉ｝１≦ｉ≦ｐがあり、ｐ＞ｍであるとする。（ｐ−ｍ＋１）相関値が得られ、ｃｏｒｒｅｌａｔｉｏｎ＿ｖａｌｕｅ１，ｃｏｒｒｅｌａｔｉｏｎ＿ｖａｌｕｅ２，．．．，ｃｏｒｒｅｌａｔｉｏｎ＿ｖａｌｕｅｐ−ｍ＋１、として示されるように、スライド相関演算がシーケンスｊを用いてシーケンスｌに対して実行される。
【００９２】
ｃｏｒｒｅｌａｔｉｏｎ＿ｖａｌｕｅｉ＝ＣＯＲＲ（ｊ，ｌ（ｉ：ｉ＋ｍ−１）），１≦ｉ≦ｐ−ｍ＋１、ここで、ｌ（ｉ：ｉ＋ｍ−１）は、シーケンスｌのｉ番目の要素から（ｉ＋ｍ−１）番目の要素を含むサブシーケンスを示す。シーケンスｊ及びシーケンスｌのスライド相関演算子ＣＯＲＲ＿ＳＬＩＤＥ（ｊ，ｌ）が定められ、シーケンスｊ及びシーケンスｌのスライド相関ピーク値は、ｃｏｒｒｅｌａｔｉｏｎ＿ｓｌｉｄｅ＿ｖａｌｕｅ＝ＣＯＲＲ＿ＳＬＩＤＥ（ｊ，ｌ）＝ｍａｘｉ（ｃｏｒｒｅｌａｔｉｏｎ＿ｖａｌｕｅｉ）＝ｍａｘｉ（ＣＯＲＲ（ｊ，ｌ（ｉ：ｉ＋ｍ−１）））である。
【００９３】
シーケンスｊ及びシーケンスｌのスライド相関処理は、図２Ａに示される。
【００９４】
したがって、スライド相関は、シーケンス｛ｊｉ｝１≦ｉ≦ｍを用いてシーケンス｛ｌｉ｝１≦ｉ≦ｐに対して実行され、得られるスライド相関ピーク値はＣＯＲＲ＿ＳＬＩＤＥ（ｊ，ｌ）である。
【００９５】
多くの研究及びエミュレーション作業により、本発明の本実施形態では、ルートインデックスがｕである汎用ＺＣシーケンスが以下の特徴を有することが分かった。
【００９６】
ｕ＜＝２のとき、受信装置１０２により受信され且つ送信装置１０１により送信される汎用ＺＣシーケンスの周波数オフセットがｆであり、シンボルレートがＢである場合、及び受信装置１０２がローカルに格納された汎用ＺＣシーケンスを用いて周波数オフセットｆにより影響される受信した汎用ＺＣシーケンスに対してスライド相関演算を実行するとき、スライド相関ピークの位置ｐｏｓは、
【数６】
0006556950.tif 000007
であり、Ｌは汎用ＺＣシーケンスの長さであり、ｕは汎用ＺＣシーケンスのルートインデックスである。ｐｏｓが正のとき、それは、スライド相関ピークの位置が汎用ＺＣシーケンスの開始点の右側にあることを示す（シーケンスは時間ドメインにおいて左から右へ配置されるとする、以下同様）、又は、ｐｏｓが負のとき、それは、スライド相関ピークの位置がシーケンス開始点の左側にあることを示す。ｐｏｓの値は、スライド相関ピークがシーケンス開始点から逸脱する距離、つまりスライド相関ピーク位置とシーケンス開始点との間のシーケンス要素数を示す。
【００９７】
例えば、図２Ｂに示すように、Ｂ＝１２０ｋＨｚ、Ｌ＝２４０、ｕ＝１、ｆ＝０Ｈｚ、及び図中の水平座標０はシーケンス開始点を示す。この場合、
【数７】
0006556950.tif 000008
【００９８】
別の例では、図２Ｃに示すように、Ｂ＝１２０ｋＨｚ、Ｌ＝２４０、ｕ＝１、ｆ＝１０ｋＨｚ、及び図中の水平座標０はシーケンス開始点を示す。この場合、
【数８】
0006556950.tif 000009
【００９９】
別の例では、図２Ｄに示すように、Ｂ＝１２０ｋＨｚ、Ｌ＝２４０、ｕ＝−１、ｆ＝１０ｋＨｚ、及び図中の水平座標０はシーケンス開始点を示す。この場合、
【数９】
0006556950.tif 000010
【０１００】
別の例では、図２Ｅに示すように、Ｂ＝１２０ｋＨｚ、Ｌ＝２４０、ｕ＝２、ｆ＝１０ｋＨｚ、及び図中の水平座標０はシーケンス開始点を示す。この場合、
【数１０】
0006556950.tif 000011
【０１０１】
別の例では、図２Ｆに示すように、Ｂ＝１２０ｋＨｚ、Ｌ＝２４０、ｕ＝−２、ｆ＝１０ｋＨｚ、及び図中の水平座標０はシーケンス開始点を示す。この場合、
【数１１】
0006556950.tif 000012
【０１０２】
別の例では、図２Ｇに示すように、Ｂ＝１２０ｋＨｚ、Ｌ＝２４０、ｕ＝０．５、ｆ＝１０ｋＨｚ、及び図中の水平座標０はシーケンス開始点を示す。この場合、
【数１２】
0006556950.tif 000013
【０１０３】
別の例では、図２Ｈに示すように、Ｂ＝１２０ｋＨｚ、Ｌ＝２４０、ｕ＝−０．５、ｆ＝１０ｋＨｚ、及び図中の水平座標０はシーケンス開始点を示す。この場合、
【数１３】
0006556950.tif 000014
【０１０４】
任意で、Ｎ１＝Ｎ２＝１である。
【０１０５】
この場合、前述のＮ１個の汎用ＺＣシーケンスは「第１汎用ＺＣシーケンス」として参照されて良く、前述のＮ２個の汎用ＺＣシーケンスは「第２汎用ＺＣシーケンス」として参照されて良い。
【０１０６】
受信した同期信号に対して第１スライド相関演算を実行するとき、受信装置１０２は、ローカルに格納された第１汎用ＺＣシーケンスを用いて受信した同期信号に対して第１スライド相関演算を実行して良い。
【０１０７】
ローカルに格納されたＮ２個の汎用ＺＣシーケンスの少なくとも２つのグループの各々をトラバースし、トラバースした汎用ＺＣシーケンスの各グループについて、Ｎ２個の汎用ＺＣシーケンスのグループの中の各汎用ＺＣシーケンスを用いて受信した同期信号に対して第２スライド相関演算を実行するとき、受信装置１０２は、少なくとも２つのローカルに格納された第２汎用ＺＣシーケンスの各々を用いて受信した同期信号に対して第２スライド相関演算を実行して良い。
【０１０８】
図３に示すように、送信装置１０１が第１信号及び第２信号を送信するとき、第１信号に含まれる前述の第１汎用ＺＣシーケンス及び第２信号に含まれる前述の第２汎用ＺＣシーケンスが時間ドメインにおいて連続して送信される場合、ローカルに予め格納された第１汎用ＺＣシーケンス及び第２汎用ＺＣシーケンスを別個に用いて受信した同期信号に対してスライド相関を実行するとき、受信装置１０２は、スライド相関ピークを別個に取得し、全部で２つのスライド相関ピークを取得する。２つのスライド相関ピークは、図４Ａ及び図４Ｂに示される２つの場合であって良い。
【０１０９】
例えば、第１汎用ＺＣシーケンス及び第２汎用ＺＣシーケンスのルートインデックスは、反数である。例えば、第１汎用ＺＣシーケンスのルートインデックスは１であり、第２汎用ＺＣシーケンスのルートインデックスは−１である。
スライド相関ピークの位置
【数１４】
0006556950.tif 000015
によると、スライド相関が２つの汎用ＺＣシーケンスに対して実行されたときに生成されるスライド相関ピークは、図４Ａ及び図４Ｂに示され得る。
【０１１０】
図４Ａに示す例では、第１汎用ＺＣシーケンスについて、スライド相関ピークは時間ドメインにおいて第１汎用ＺＣシーケンスの開始点の右側にあり、第２汎用ＺＣシーケンスについて、スライド相関ピークは時間ドメインにおいて第２汎用ＺＣシーケンスの開始点の左側にある。
【０１１１】
図４Ｂに示す例では、第１汎用ＺＣシーケンスについて、スライド相関ピークは時間ドメインにおいて第１汎用ＺＣシーケンスの開始点の左側にあり、第２汎用ＺＣシーケンスについて、スライド相関ピークは時間ドメインにおいて第２汎用ＺＣシーケンスの開始点の右側にある。
【０１１２】
図４Ａ及び図４Ｂに示す２つの例について、第１汎用ＺＣシーケンスのスライド相関ピークが第１汎用ＺＣシーケンスの開始点から逸脱する方向は、第２汎用ＺＣシーケンスのスライド相関ピークが第２汎用ＺＣシーケンスの開始点から逸脱する方向と反対である。しかしながら、第１汎用ＺＣシーケンスのスライド相関ピークが逸脱する距離は、第２汎用ＺＣシーケンスのスライド相関ピークが逸脱する距離と同じである。
【０１１３】
同期処理（つまり、ローカルに格納された第１汎用ＺＣシーケンスを用いて受信した同期信号に対してスライド相関演算を実行し、少なくとも２つのローカルに格納された第２汎用ＺＣシーケンスのうちの１つを選択して受信した同期信号に対してスライド相関演算を実行する処理）では、受信装置１０２は、ローカルに格納された第１汎用ＺＣシーケンス及び少なくとも２つのローカルに格納された第２汎用ＺＣシーケンスのうちの１つを別個に用いて、受信した同期信号に対してスライド相関を実行し、１つのスライド相関ピークを別個に取得し（第１汎用ＺＣシーケンスについてスライド相関ピークはＣｏｒｒ１であり、第２汎用ＺＣシーケンスについてスライド相関ピークはＣｏｒｒ２である）、２つのスライド相関ピークの相対位置は、図４Ａ及び図４Ｂに示す２つの場合のうちの１つだけであり得る。
【０１１４】
例えば、２つのスライド相関ピークの相対位置は、図４Ａに示す場合である。２つのスライド相関ピークの時間ドメイン位置はそれぞれｘ１及びｘ２であり（ｘ１及びｘ２はサンプリング点の数であって良い、つまり、受信装置１０２は周期的サンプリングを実行し、例えば１シンボルの中でサンプリングをＭ回実行し、ここでＭは正整数である）、及びｘ＝ｘ２−ｘ１とすると、受信装置１０２は、第１汎用ＺＣシーケンスにより占有される開始シンボルの時間ドメイン位置と第２汎用ＺＣシーケンスにより占有される開始シンボルの時間ドメイン位置との間の距離が予め分かる。距離がｙであり、ｕ１が第１汎用ＺＣシーケンスのルートインデックスであり、ｕ２が第２汎用ＺＣシーケンスのルートインデックスであり、Ｌ１が第１汎用ＺＣシーケンスの長さであり、Ｌ２が第２汎用ＺＣシーケンスの長さであるとすると、受信装置１０２は以下を決定して良い：
【０１１５】
第１汎用ＺＣシーケンスにより占有される開始シンボルの位置ｐｏｓ１は、
【数１５】
0006556950.tif 000016
第２汎用ＺＣシーケンスにより占有される開始シンボルの位置ｐｏｓ２は、
【数１６】
0006556950.tif 000017
【０１１６】
任意で、シンボル開始位置は、ｐｏｓ１及び／又はｐｏｓ２に従い決定されて良い。例えば、１シンボルの中に、略してサンプリング点として参照される複数のサンプリング点があり、シンボル内の１つのサンプリング点がシンボル開始位置として決定される。任意で、該サンプリング点は、シンボルの全てのサンプリング点の中で最大エネルギを有するサンプリング点であって良く、「最適サンプリング点」として参照されて良く、つまり、シンボルタイミング同期が得られる。
【０１１７】
例えば、位置ｐｏｓ１はシンボル開始位置として決定される。この場合、任意で、ｐｏｓ２を決定する必要はない。
【０１１８】
代替で、位置ｐｏｓ２はシンボル開始位置として決定される。この場合、任意で、ｐｏｓ１を決定する必要はない。
【０１１９】
代替で、（ｐｏｓ１＋ｐｏｓ２＋ｙ）／２が、第２シーケンスの開始点が位置するシンボル開始位置として決定される。
【０１２０】
代替で、（ｐｏｓ２＋ｐｏｓ１−ｙ）／２が、第１シーケンスの開始点が位置するシンボル開始位置として決定される。
【０１２１】
最適サンプリング点は、シンボルタイミング同期の中で開始位置として決定される。この場合、シンボル長は予め受信装置１０２により知られており、一定なので、受信装置１０２が第１汎用ＺＣシーケンス及び第２汎用ＺＣシーケンスのいずれかにより占有される開始シンボルの最適サンプリング点を決定する限り、全てのシンボルの最適サンプリング点が決定できる。
【０１２２】
最適サンプリング点を決定した後に、受信装置１０２は、以下の３つの演算のうちの少なくとも１つを実行して良い。
予め知られ且つ第１汎用ＺＣシーケンスのフレーム内の相対位置に従い、受信信号内のフレーム開始位置を決定する、
予め知られ且つ第１汎用ＺＣシーケンスのサブフレーム内の相対位置に従い、受信信号内のサブフレーム開始位置を決定する、又は、
予め知られ且つ第１汎用ＺＣシーケンスのタイムスロット内の相対位置に従い、受信信号内のタイムスロット開始位置を決定する。
【０１２３】
したがって、受信装置１０２はシンボルタイミング同期を達成する。
【０１２４】
追加で、周波数オフセット値は、シーケンスにより占有される開始シンボルの時間ドメイン位置に対するスライド相関ピーク位置のオフセットに従い、逆計算されて良い。例えば、周波数オフセット値は、第１汎用ＺＣシーケンスにより占有される開始シンボルの時間ドメイン位置に対するＣｏｒｒ１の時間ドメイン位置のオフセット、及び第２汎用ＺＣシーケンスにより占有される開始シンボルの時間ドメイン位置に対するＣｏｒｒ２の時間ドメイン位置のオフセットに従い逆計算される。したがって、キャリア周波数同期、つまり周波数オフセット推定が、第１汎用ＺＣシーケンス及び第２汎用ＺＣシーケンスを用いて達成できる。
【０１２５】
留意すべきことに、前述のシンボルタイミング同期及び周波数オフセット推定処理の前提は、−Ｂ／２＜＝Ｆ＜＝Ｂ／２であり、ここで、周波数オフセットはＦであり、シンボルレートはＢである。
【０１２６】
この場合、
【数１７】
0006556950.tif 000018
【０１２７】
周波数オフセットが前述の範囲を超えると、シンボルタイミング同期及び周波数オフセット推定は、以下のブラインドサーチ処理を用いて達成できる。
【０１２８】
先ず、受信装置１０２は、受信装置１０２の周波数オフセット範囲内にあり且つシンボルレートの整数倍である各周波数オフセットｆｉを決定する。任意で、周波数オフセット範囲は、プロトコルで予め定められた周波数範囲であり、又は受信装置１０２がスライド相関を実行する前に受信装置１０２により予め格納されて良い。
【０１２９】
次に、各決定した周波数オフセットｆｉについて、受信装置１０２は、第１汎用ＺＣシーケンスを用いて受信した同期信号に対してスライド相関演算を実行して、計算により周波数オフセットの中のスライド相関ピークＣｏｒｒ１＿ｆｉを得る。ここで、ｉ＝１，．．．，及びＰであり、ｉ及びＰは正整数であり、Ｐは決定した周波数オフセットの量である。
【０１３０】
決定した周波数オフセットｆｉについて、受信装置１０２は、少なくとも２つのローカルに格納された第２汎用ＺＣシーケンスの各々をトラバースし、トラバースした各第２汎用ＺＣシーケンスＳｊについて、第２汎用ＺＣシーケンスを用いて受信した同期信号に対してスライド相関演算を実行して、計算により周波数オフセットの中の第２汎用ＺＣシーケンス内のスライド相関ピークＣｏｒｒ２＿ｆｉ＿Ｓｊを得る。ここで、ｊ＝１，．．．，及びＱであり、ｊ及びＱは正整数であり、Ｑはローカルに格納された第２汎用ＺＣシーケンスの数である。
【０１３１】
次に、受信装置１０２は、全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０、及び受信装置１０２の位置するセルに対応する第２汎用ＺＣシーケンスＳ０を決定する。
【０１３２】
受信装置１０２は、スライド相関ピークＣｏｒｒ＿ｍａｘに対応する周波数オフセットがｆ０であると決定し、ここでＣｏｒｒ＿ｍａｘ＝ＭＡＸｉ，ｊ｛Ｃｏｒｒ１＿ｆｉ＋Ｃｏｒｒ２＿ｆｉ＿Ｓｊ｝であり、及びスライド相関ピークＣｏｒｒ＿ｍａｘに対応する第２汎用ＺＣシーケンスがＳ０であると決定して良い。
【０１３３】
代替で、全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、受信装置１０２は、ｆ０が対応する周波数オフセットであると決定し、全てのＣｏｒｒ２＿ｆ０＿Ｓｊの中の最大スライド相関ピークに対応する第２汎用ＺＣシーケンスがＳ０であると決定し、又は、全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しくない場合、受信装置１０２は、現在同期が失敗していると決定し、同期を再び実行する。
【０１３４】
最後に、受信装置１０２は、決定した周波数オフセットｆ０に対応するスライド相関ピークＣｏｒｒ１＿ｆ０の時間ドメイン位置、決定した周波数オフセットｆ０の中の第２汎用ＺＣシーケンス内のスライド相関ピークＣｏｒｒ２＿ｆ０＿Ｓ０の時間ドメイン位置、及び予め知られ且つ受信信号内の第１汎用ＺＣシーケンスにより占有される開始シンボルの時間ドメイン位置と受信信号内の第２汎用ＺＣシーケンスにより占有される開始シンボルの時間ドメイン位置との間の距離に従い、シンボルタイミング同期を実行し、例えば、前述のｐｏｓ１及び／又はｐｏｓ２に従いシンボルタイミング同期を実行する。方法は以上に記載された通りである。この場合、ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置である。
【０１３５】
受信装置１０２は、受信装置１０２の位置するセルのセル識別子、及び／又は受信装置１０２の位置するセルグループのセルグループ識別子を決定する。受信装置１０２は、セル識別子と第２汎用ＺＣシーケンスとの間の予め格納された対応に従い、第２汎用ＺＣシーケンスＳ０に対応するセル識別子が受信装置１０２の位置するセルのセル識別子であることを決定して良い。受信装置１０２は、セルグループ識別子と第２汎用ＺＣシーケンスとの間の予め格納された対応に従い、第２汎用ＺＣシーケンスＳ０に対応するセルグループ識別子が受信装置１０２の位置するセルグループのセルグループ識別子であることを決定して良い。
【０１３６】
例えば、シンボルレートＢ＝１５ｋＨｚ、及び周波数オフセット範囲は−４８ｋＨｚ〜＋４８ｋＨｚである。この場合、受信装置１０２は、整数周波数オフセット、つまりシンボルレート１５ｋＨｚの整数倍：−４５ｋＨｚ、−３０ｋＨｚ、−１５ｋＨｚ、０、１５ｋＨｚ、３０ｋＨｚ、及び４５ｋＨｚに対してブラインドテストが実行される必要のあることを決定する。
【０１３７】
例えば、同期処理において、実際の周波数オフセットは３６ｋＨｚであり、実際の周波数オフセットの整数周波数オフセットは３０ｋＨｚ（１５×２）であり、小数周波数オフセットは６ｋＨｚである。整数周波数オフセットに対してブラインドテストが実行されるとき、３０ｋＨｚが実際の周波数オフセットに最も近く、前述の方法に従い整数周波数オフセット推定ｆ０として選択される。その後、小数周波数オフセットは、スライド相関ピーク等に従い及び前述の方法に従い、決定されて良い。周波数オフセット推定が達成できるように、整数周波数オフセット決定方法及び小数周波数オフセット決定方法は結合される。追加で、小数周波数オフセット決定処理において、シンボルタイミング同期も達成される。
【０１３８】
例えば、受信装置１０２は、周波数オフセットｆ０の中のスライド相関ピークＣｏｒｒ１＿ｆ０の時間ドメイン位置、周波数オフセットｆ０の中の第２汎用ＺＣシーケンス内のスライド相関ピークＣｏｒｒ２＿ｆ０＿Ｓ０の時間ドメイン位置、予め知られ且つ受信信号内の第１汎用ＺＣシーケンスにより占有される開始シンボルの時間ドメイン位置と受信信号内の第２汎用ＺＣシーケンスにより占有される開始シンボルの時間ドメイン位置との間の距離、及び周波数オフセットｆ０に従い、実際の周波数オフセットＦを決定して良い。
【０１３９】
例えば、実際の周波数オフセットは次式のように決定され、
【数１８】
0006556950.tif 000019
ここで、Ｂは前記シンボルレートであり、Ｌ１は第１汎用ＺＣシーケンスの長さであり、Ｌ２は第２汎用ＺＣシーケンスの長さであり、
ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置であり、ｘ＝ｘ２−ｘ１であり、ｙは受信装置１０２により予め知られ且つ受信信号の中の第１汎用ＺＣシーケンスにより占有される開始シンボルの時間ドメイン位置と受信信号の中の第２汎用ＺＣシーケンスにより占有される開始シンボルの時間ドメイン位置との間の距離であり、ｕ１は第１汎用ＺＣシーケンスのルートインデックスであり、ｕ２は第２汎用ＺＣシーケンスのルートインデックスであり、Ｌ１は第１汎用ＺＣシーケンスの長さであり、Ｌ２は第２汎用ＺＣシーケンスの長さである。
【０１４０】
任意で、前述の第１信号及び前述の第２信号は、時分割及び／又は周波数分割方法で送信され、
第１信号の中のＮ１個の汎用ＺＣシーケンスは時分割及び／又は周波数分割方法で送信され、
第２信号の中のＮ２個の汎用ＺＣシーケンスは時分割及び／又は周波数分割方法で送信される。
【０１４１】
以下は、３つの送信方法：時分割方法、周波数分割方法、及び時分割及び周波数分割方法を別個に記載するために、第１信号及び第２信号を一例として使用する。Ｎ１個の汎用ＺＣシーケンス及びＮ２個の汎用ＺＣシーケンスは、また、３つの任意的送信方法をそれぞれ有する。Ｎ１個の汎用ＺＣシーケンス及びＮ２個の汎用ＺＣシーケンスの送信方法の原理は、第１信号及び第２信号の送信方法と同様である。詳細事項は、ここで繰り返し記載されない。
【０１４２】
時分割方法は、２つの信号が時間ドメインにおいて異なる位置を占有することを示す。例えば、図３に示すように、２つの信号は、時間ドメインにおいて連続して送信される。別の例では、図５Ａに示すように、２つの信号は、時間ドメインにおいて離れて送信される。
【０１４３】
周波数分割方法は、例えば図５Ｂに示すように、２つの信号が周波数ドメインにおいて異なる位置を占有することを示す。
【０１４４】
時分割及び周波数分割方法は、例えば図５Ｃに示すように、２つの信号が時間ドメインにおいて異なる位置を占有し且つ周波数ドメインにおいて異なる位置を占有することを示す。
【０１４５】
以下は、幾つかの特定の例を用いて、本発明の本実施形態における同期信号の組成を説明する。
【０１４６】
［例１］
【０１４７】
Ｎ１＝Ｎ２＝１である。第１信号は、ルートインデックスｕが１である第１汎用ＺＣシーケンスを含み、第２信号は、第２汎用ＺＣシーケンスを含む。第２汎用ＺＣシーケンスのルートインデックスは、異なるセル又はセルグループを区別するために使用される。
【０１４８】
例えば、無線通信システム内のセルは、３つのグループに分けられる。第１セルグループはルートインデックスｕが−１である第２汎用ＺＣシーケンスに対応し、第２セルグループはルートインデックスｕが２である第２汎用ＺＣシーケンスに対応し、第３セルグループはルートインデックスｕが−２である第２汎用ＺＣシーケンスに対応する。
【０１４９】
［例２］
【０１５０】
例１と同様に、Ｎ１＝Ｎ２＝１である。第１信号は、ルートインデックスｕが１である第１汎用ＺＣシーケンスを含み、第２信号は、第２汎用ＺＣシーケンスを含む。第２汎用ＺＣシーケンスのルートインデックスは、異なるセル又はセルグループを区別するために使用される。
【０１５１】
同様に、無線通信システム内のセルは、３つのグループに分けられて良い。例１と異なり、第１セルグループはルートインデックスｕが−１である第２汎用ＺＣシーケンスに対応し、第２セルグループはルートインデックスｕが０．５である汎用ＺＣシーケンスに対応し、第３セルグループはルートインデックスｕが−０．５である汎用ＺＣシーケンスに対応する。
【０１５２】
［例３］
【０１５３】
同期信号内の第２信号は、複数の汎用ＺＣシーケンスを含む。複数の汎用ＺＣシーケンスの間の相対位置（時間ドメイン位置及び／又は周波数ドメイン位置）は、セル又はセルグループを区別するために使用される。つまり、異なるセル又は異なるセルグループは異なる相対位置に対応する。
【０１５４】
例えば、同期信号内の第２信号が３つの汎用ＺＣシーケンスを含むとき、３つの汎用ＺＣシーケンスのルートインデックスは、それぞれｕ＝１、ｕ＝−１、及びｕ＝２であり、３つの汎用ＺＣシーケンスは時間ドメインにおいて連続して配置される。
【０１５５】
図５Ｄに示すように、無線通信システム内のセルは、３つのグループに分けられる。第１セルグループに対応する３つの汎用ＺＣシーケンスは、以下の順序：ルートインデックスが１である汎用ＺＣシーケンス、ルートインデックスが−１である汎用ＺＣシーケンス、及びルートインデックスが２である汎用ＺＣシーケンス、で配置される。第２セルグループに対応する３つの汎用ＺＣシーケンスは、以下の順序：ルートインデックスが１である汎用ＺＣシーケンス、ルートインデックスが２である汎用ＺＣシーケンス、及びルートインデックスが−１である汎用ＺＣシーケンス、で配置される。第３セルグループに対応する３つの汎用ＺＣシーケンスは、以下の順序：ルートインデックスが−１である汎用ＺＣシーケンス、ルートインデックスが２である汎用ＺＣシーケンス、及びルートインデックスが１である汎用ＺＣシーケンス、で配置される。
【０１５６】
［例４］
【０１５７】
同期信号内の第１信号の中の汎用ＺＣシーケンスのルートインデックスも、セルを区別するために使用される。異なるセルでは、第１信号の中の汎用ＺＣシーケンスのルートインデックスが異なる。
【０１５８】
通常、地理的に近隣の又は隣接するセルでは、これらのセルは、第１信号の中の汎用ＺＣシーケンスの異なるルートインデックスに対応するが、全ての異なるセルが第１信号の中の汎用ＺＣシーケンスの異なるルートインデックスに対応するとは限らない。
【０１５９】
各決定した周波数オフセットｆｉについて、受信装置１０２は、周波数オフセット推定を実行するとき、第１信号の中の少なくとも２つの現在格納された汎用ＺＣシーケンスを用いて、受信した同期信号に対してスライド相関演算を実行して、計算により周波数オフセットの中で第１信号内の各汎用ＺＣシーケンスの中の最大スライド相関ピークを取得して良い。
【０１６０】
［例５］
【０１６１】
Ｎ１＞１又はＮ２＞１のとき、受信端は、（Ｎ１＋Ｎ２）個のシーケンスを別個に用いて、受信した同期信号に対してスライド相関演算を実行し、スライド相関演算の結果を用いてシンボルタイミング同期を実行する。
【０１６２】
任意で、第２同期シーケンス（疑似ランダムシーケンス、ＺＣシーケンス、又はゴールドシーケンスのような相互相関を有する任意のシーケンスであって良い）と結合された後に、前述の（Ｎ１＋Ｎ２）個の同期シーケンスは、同期信号として使用されて良い。前述の（Ｎ１＋Ｎ２）個の同期シーケンスは、シンボルタイミング同期及び初期キャリア周波数同期を達成するために使用される。キャリア周波数同期は、初期キャリア周波数同期、セル識別子指示、フレーム番号指示、信号検出、及び／又は等である。第２同期シーケンスは、更なるキャリア周波数同期、初期キャリア周波数同期、フレーム同期、セル識別子指示、信号検出、及び／又は等を達成するために使用されて良い。更なるキャリア周波数同期は、より優れた精度を有し且つ初期キャリア周波数同期に基づくキャリア周波数同期である。
【０１６３】
シンボルタイミング同期及び初期キャリア周波数同期が（Ｎ１＋Ｎ２）個の同期シーケンスを用いて達成される処理が上述された。セル識別子の一部又は全部は、Ｎ個のシーケンスが時間ドメインにおいて送信される順序で伝達されて良く、ここで異なる順序は異なるセルを示し、或いは、特徴シーケンスにより乗算されたＮ個のシーケンスにより伝達されて良く、ここで異なるセルは異なる特徴シーケンスを使用し、特徴シーケンスは疑似ランダムシーケンス、ＺＣシーケンス、又はゴールドシーケンスのような相互相関を有する任意のシーケンスであって良い。同様に、フレーム番号又はタイムスロット番号の一部又は全部も、セル識別子伝達方法と同様の方法を用いて伝達されて良い。
【０１６４】
第２同期シーケンスは、Ｋ個のサブシーケンスを含んで良く、Ｋは１以上である。各サブシーケンスは、疑似ランダムシーケンス、ＺＣシーケンス、又はゴールドシーケンスのような相互相関を有する任意のシーケンス、又は相互相関特徴を有する任意のシーケンスに対して循環シフトを実行して得られたシーケンスであって良い。第２同期シーケンスを用いて更なるキャリア周波数同期を実行することは、受信信号内の第２同期シーケンスと第２同期シーケンス内の予めローカルに格納されたローカルシーケンスとの間の位相偏位を用いて周波数オフセット推定を実行することであって良い。第２同期シーケンスを用いてフレーム番号指示又はセル識別子指示を実行することは、異なるフレーム番号又はセルについて、異なるシーケンスが第２同期シーケンスとして使用されること、又は、異なるフレーム番号又はセルにすいて、Ｋ個のサブシーケンスの中の異なる相対順序が異なるフレーム番号又はセル番号を示すために使用されることであって良い。
【０１６５】
（Ｎ１＋Ｎ２）個の同期シーケンス又は第２同期シーケンスを用いて信号検出を実行することは、別個に生成された相関ピーク値がプリセット閾値と比較され、相関ピーク値が閾値を超える場合に、信号が有効信号であると見なし、又は、相関ピーク値が閾値を超えない場合、現在の同期が失敗していると見なして、同期作業が実行され続けることであって良い。
【０１６６】
なお、本発明の全ての信号の変調方法は限定されない。例えば、同期信号は、シングルキャリア信号であって良く、又は直交周波数分割多重（Orthogonal  Frequency  Division  Multiplexing、ＯＦＤＭ）信号のような直交マルチキャリア信号であって良い。同期信号及び（データ信号又は制御信号のような）非同期信号は、時分割及び／又は周波数分割方法で送信されて良い。
【０１６７】
例えば、（１）同期信号及び非同期信号の両方がＯＦＤＭ信号であり、同期信号及び非同期信号は時分割又は周波数分割方法で送信される。
【０１６８】
（２）同期信号はシングルキャリア信号であり、非同期信号はＯＦＤＭ信号であり、同期信号及び非同期信号は時分割又は周波数分割方法で送信される。
【０１６９】
（３）同期信号はシングルキャリア信号であり、非同期信号はシングルキャリア信号であり、同期信号及び非同期信号は時分割又は周波数分割方法で送信される。
【０１７０】
（４）同期信号はＯＦＤＭ信号であり、非同期信号はシングルキャリア信号であり、同期信号及び非同期信号は時分割又は周波数分割方法で送信される。
【０１７１】
本発明の本実施形態で提供される無線通信システムと同様の発明概念に基づき、本発明の実施形態は、送信装置、受信装置、及びシンボルタイミング同期方法を更に提供する。課題解決原理は、本発明の本実施形態において提供された無線通信システムの課題解決原理と同様である。送信装置、受信装置、及びシンボルタイミング同期方法の実装については、システムの実装を参照する。詳細事項は、ここで繰り返し記載されない。
【０１７２】
図６は、本発明の一実施形態による第１送信装置の概略構造図である。図６に示すように、送信装置は、処理モジュール６０１及び送信モジュール６０２を含む。
【０１７３】
処理モジュール６０１は同期信号を決定するよう構成される。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０１７４】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０１７５】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０１７６】
送信モジュール６０２は、処理モジュール６０１により決定された同期信号を送信するよう構成される。ここで、同期信号は、シンボルタイミング同期のために使用され、異なるセルが異なる第２信号に対応する場合、同期信号はセル識別子を決定するために更に使用され、又は、異なるセルグループが異なる第２信号に対応する場合、同期信号はセルグループ識別子を決定するために更に使用される。
【０１７７】
任意で、Ｎ１＝Ｎ２＝１である。
【０１７８】
任意で、同期信号は、キャリア周波数同期のために更に使用される。
【０１７９】
任意で、第１信号及び第２信号は、時分割及び／又は周波数分割方法で送信され、
第１信号の中のＮ１個の汎用ＺＣシーケンスは時分割及び／又は周波数分割方法で送信され、
第２信号の中のＮ２個の汎用ＺＣシーケンスは時分割及び／又は周波数分割方法で送信される。
【０１８０】
送信装置の別の任意的実装については、前述の送信装置１０１を参照する。詳細事項は、ここで繰り返し記載されない。
【０１８１】
図６に示す第１送信装置は、図１１に示す方法を実行するよう構成されて良い。
【０１８２】
図７は、本発明の一実施形態による第２送信装置の概略構造図である。図７に示すように、送信装置は、プロセッサ７０１及び送信機７０２を含む。
【０１８３】
プロセッサ７０１は同期信号を決定するよう構成される。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０１８４】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０１８５】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０１８６】
送信機７０２は、プロセッサ７０１により決定された同期信号を送信するよう構成される。ここで、同期信号は、シンボルタイミング同期のために使用され、異なるセルが異なる第２信号に対応する場合、同期信号はセル識別子を決定するために更に使用され、又は、異なるセルグループが異なる第２信号に対応する場合、同期信号はセルグループ識別子を決定するために更に使用される。
【０１８７】
プロセッサ７０１の別の任意的実装については、前述の処理モジュール６０１を参照する。送信機７０２の別の任意的実装については、前述の送信モジュール６０２を参照する。送信装置の別の任意的実装については、前述の送信装置１０１を参照する。詳細事項は、ここで繰り返し記載されない。
【０１８８】
図７に示す第２送信装置は、図１１に示す方法を実行するよう構成されて良い。
【０１８９】
図８は本発明の一実施形態による第１受信装置の概略構造図である。図８に示すように、受信装置は、受信モジュール８０１及び処理モジュール８０２を含む。
【０１９０】
受信モジュール８０１は同期信号を受信するよう構成される。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０１９１】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０１９２】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０１９３】
処理モジュール８０２は、受信装置によりローカルに格納されたＮ１個の汎用ＺＣシーケンスの各々を用いて同期信号に対して第１スライド相関演算を実行し、ローカルに格納されたＮ２個の汎用ＺＣシーケンスの少なくとも２つのグループの各々をトラバースし、トラバースしたＮ２個の汎用ＺＣシーケンスの各グループについて、Ｎ２個の汎用ＺＣシーケンスのグループの中の各汎用ＺＣシーケンスを用いて受信した同期信号に対して第２スライド相関演算を実行し、各第１スライド相関演算の結果及び各第２スライド相関演算の結果に従いシンボルタイミング同期を実行し、異なるセルが異なる第２信号に対応する場合、各第１スライド相関演算の結果及び各第２スライド相関演算の結果に従い受信装置の位置するセルのセル識別子を決定する、又は、異なるセルグループが異なる第２信号に対応する場合、各第１スライド相関演算の結果及び各第２スライド相関演算の結果に従い受信装置の位置するセルグループのセルグループ識別子を決定する、よう構成される。
【０１９４】
任意で、Ｎ１＝Ｎ２＝１である。
【０１９５】
Ｎ１個の汎用ＺＣシーケンスは第１汎用ＺＣシーケンスであり、Ｎ２個の汎用ＺＣシーケンスは第２汎用ＺＣシーケンスである。
【０１９６】
処理モジュール８０２は、具体的に、受信装置によりローカルに格納された第１汎用ＺＣシーケンスを用いて同期信号に対して第１スライド相関演算を実行し、受信装置によりローカルに格納された少なくとも２つの第２汎用ＺＣシーケンスの各々を用いて同期信号に対して第２スライド相関演算を実行するよう構成される。
【０１９７】
任意で、処理モジュール８０２は、第１スライド相関演算及び第２スライド相関演算を実行する前に、受信装置の周波数オフセット範囲内にあり且つシンボルレートの整数倍である各周波数オフセットｆｉを決定するよう更に構成される。
【０１９８】
受信装置によりローカルに格納された第１汎用ＺＣシーケンスを用いて同期信号に対して第１スライド相関演算を実行するとき、処理モジュール８０２は、具体的に、
各決定した周波数オフセットｆｉについて、第１汎用ＺＣシーケンスを用いて同期信号に対してスライド相関演算を実行して、計算により、周波数オフセットの中のスライド相関ピークＣｏｒｒ１＿ｆｉを取得し、ここでｉ＝１，．．．，及びＰ、ｉ及びＰは正整数であり、Ｐは決定した周波数オフセットの量である、よう構成される。
【０１９９】
受信装置によりローカルに格納された少なくとも２つの第２汎用ＺＣシーケンスの各々を用いて同期信号に対して第２スライド相関演算を実行するとき、処理モジュール８０２は、具体的に、
各決定した周波数オフセットｆｉについて、受信装置によりローカルに格納された少なくとも２つの第２汎用ＺＣシーケンスの各々をトラバースし、各トラバースした第２汎用ＺＣシーケンスＳｊについて、第２汎用ＺＣシーケンスを用いて同期信号に対してスライド相関演算を実行して、計算により周波数オフセットの中で第２汎用ＺＣシーケンスの中のスライド相関ピークＣｏｒｒ２＿ｆｉ＿Ｓｊを取得し、ここでｊ＝１，．．．，及びＱであり、ｊ及びＱは正整数であり、Ｑはローカルに格納された第２汎用ＺＣシーケンスの数である、よう構成される。
【０２００】
各第１スライド相関演算の結果及び各第２スライド相関演算の結果に従いシンボルタイミング同期を実行するとき、処理モジュール８０２は、具体的に、
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び受信装置の位置するセルに対応する第２汎用ＺＣシーケンスＳ０を決定し、決定した周波数オフセットｆ０に対応するスライド相関ピークｃｏｒｒ１＿ｆ０の時間ドメイン位置、決定した周波数オフセットの中の第２汎用ＺＣシーケンスＳ０の中のスライド相関ピークＣｏｒｒ２＿ｆ０＿Ｓ０の時間ドメイン位置、予め知られ且つ同期信号内の第１汎用ＺＣシーケンスにより占有される開始シンボルの時間ドメイン位置と同期信号内の第２汎用ＺＣシーケンスにより占有される開始シンボルの時間ドメイン位置との間の距離に従い、シンボルタイミング同期を実行するよう構成される。
【０２０１】
任意で、各第１スライド相関演算の結果及び各第２スライド相関演算の結果に従い、受信装置の位置するセルのセル識別子を決定するとき、処理モジュール８０２は、具体的に、受信装置により予め格納された、セル識別子と第２汎用ＺＣシーケンスとの間の対応に従い、前記第２汎用ＺＣシーケンスＳ０に対応するセル識別子が受信装置の位置するセルのセル識別子であることを決定するよう構成され、及び／又は、
各第１スライド相関演算の結果及び各第２スライド相関演算の結果に従い、受信装置の位置するセルグループのセルグループ識別子を決定するとき、処理モジュール８０２は、具体的に、受信装置により予め格納された、セルグループ識別子と第２汎用ＺＣシーケンスとの間の対応に従い、第２汎用ＺＣシーケンスＳ０に対応するセルグループ識別子が受信装置の位置するセルグループのセルグループ識別子であることを決定するよう構成される。
【０２０２】
任意で、処理モジュール８０２は、具体的に、
スライド相関ピークＣｏｒｒ＿ｍａｘに対応する周波数オフセットがｆ０であると決定し、ここでＣｏｒｒ＿ｍａｘ＝ＭＡＸｉ，ｊ｛Ｃｏｒｒ１＿ｆｉ＋Ｃｏｒｒ２＿ｆｉ＿Ｓｊ｝であり、及びスライド相関ピークＣｏｒｒ＿ｍａｘに対応する第２汎用ＺＣシーケンスがＳ０であると決定するよう構成される。
【０２０３】
任意で、処理モジュール８０２は、具体的に、
全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、ｆ０が対応する周波数オフセットであることを決定し、全てのＣｏｒｒ２＿ｆ０＿Ｓｊの中の最大スライド相関ピークに対応する第２汎用ＺＣシーケンスがＳ０であることを決定するよう構成される。
【０２０４】
任意で、第１汎用ＺＣシーケンスは時間ドメインにおいて第２汎用ＺＣシーケンスより前にあり、
シンボルタイミング同期を実行するとき、処理モジュール８０２は、具体的に、
第１汎用ＺＣシーケンスにより占有される開始シンボルの位置ｐｏｓ１が、
【数１９】
0006556950.tif 000020
であることを決定し、ここで、ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置であり、ｘ＝ｘ２−ｘ１であり、ｙは予め知られ且つ同期信号の中の第１汎用ＺＣシーケンスの開始点の時間ドメイン位置と同期信号の中の第２汎用ＺＣシーケンスの開始点の時間ドメイン位置との間の距離であり、ｕ１は第１汎用ＺＣシーケンスのルートインデックスであり、ｕ２は第２汎用ＺＣシーケンスのルートインデックスであり、Ｌ１は第１汎用ＺＣシーケンスの長さであり、Ｌ２は第２汎用ＺＣシーケンスの長さであり、
第１汎用ＺＣシーケンスにより占有される開始シンボルの決定された位置及び予め知られたシンボル長に従い、受信信号の中の各シンボルの位置を決定し、
以下の３つの演算：
予め知られた且つフレーム内の第１汎用ＺＣシーケンスの相対位置に従い、受信信号の中のフレーム開始位置を決定する、
予め知られた且つサブフレーム内の第１汎用ＺＣシーケンスの相対位置に従い、受信信号の中のサブフレーム開始位置を決定する、又は、
予め知られた且つタイムスロット内の第１汎用ＺＣシーケンスの相対位置に従い、受信信号の中のタイムスロット開始位置を決定する、
のうちの少なくとも１つを実行するよう構成される。
【０２０５】
任意で、処理モジュール８００２は、
全ての周波数オフセットｆｉから、実際の周波数オフセットに最も近い周波数オフセットｆ０を決定した後に、周波数オフセットｆ０の中のスライド相関ピークＣｏｒｒ１＿ｆ０の時間ドメイン位置、周波数オフセットｆ０の中の第２汎用ＺＣシーケンスの中のスライド相関ピークＣｏｒｒ２＿ｆ０＿Ｓ０の時間ドメイン位置、予め知られ且つ同期信号の中の第１汎用ＺＣシーケンスにより占有される開始シンボルの時間ドメイン位置と同期信号の中の第２汎用ＺＣシーケンスにより占有される開始シンボルの時間ドメイン位置との間の距離、及び周波数オフセットｆ０に従い、実際の周波数オフセットＦを決定するよう更に構成される。
【０２０６】
任意で、
【数２０】
0006556950.tif 000021
ここで、Ｂはシンボルレートであり、Ｌ１は第１汎用ＺＣシーケンスの長さであり、Ｌ２は第２汎用ＺＣシーケンスの長さであり、
ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置であり、ｘ＝ｘ２−ｘ１であり、ｙは予め知られ且つ同期信号の中の第１汎用ＺＣシーケンスにより占有される開始シンボルの時間ドメイン位置と同期信号の中の第２汎用ＺＣシーケンスにより占有される開始シンボルの時間ドメイン位置との間の距離であり、ｕ１は第１汎用ＺＣシーケンスのルートインデックスであり、ｕ２は第２汎用ＺＣシーケンスのルートインデックスであり、Ｌ１は第１汎用ＺＣシーケンスの長さであり、Ｌ２は第２汎用ＺＣシーケンスの長さである。
【０２０７】
任意で、第１信号及び第２信号は、時分割及び／又は周波数分割方法で送信され、
第１信号の中のＮ１個の汎用ＺＣシーケンスは時分割及び／又は周波数分割方法で送信され、
第２信号の中のＮ２個の汎用ＺＣシーケンスは時分割及び／又は周波数分割方法で送信される。
【０２０８】
受信装置の別の任意的実装については、前述の受信装置１０２を参照する。詳細事項は、ここで繰り返し記載されない。
【０２０９】
図８に示す第１受信装置は、図１０に示す方法を実行するよう構成されて良い。
【０２１０】
図９は、本発明の一実施形態による第２受信装置の概略構造図である。図９に示すように、受信装置は、受信機９０１及びプロセッサ９０２を含む。
【０２１１】
受信機９０１は同期信号を受信するよう構成される。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０２１２】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０２１３】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０２１４】
プロセッサ９０２は、受信装置によりローカルに格納されたＮ１個の汎用ＺＣシーケンスの各々を用いて同期信号に対して第１スライド相関演算を実行し、ローカルに格納されたＮ２個の汎用ＺＣシーケンスの少なくとも２つのグループの各々をトラバースし、トラバースしたＮ２個の汎用ＺＣシーケンスの各グループについて、Ｎ２個の汎用ＺＣシーケンスのグループの中の各汎用ＺＣシーケンスを用いて受信した同期信号に対して第２スライド相関演算を実行し、各第１スライド相関演算の結果及び各第２スライド相関演算の結果に従いシンボルタイミング同期を実行し、異なるセルが異なる第２信号に対応する場合、各第１スライド相関演算の結果及び各第２スライド相関演算の結果に従い受信装置の位置するセルのセル識別子を決定する、又は、異なるセルグループが異なる第２信号に対応する場合、各第１スライド相関演算の結果及び各第２スライド相関演算の結果に従い受信装置の位置するセルグループのセルグループ識別子を決定する、よう構成される。
【０２１５】
プロセッサ９０２の別の任意的実装については、前述の処理モジュール８０２を参照する。受信機９０１の別の任意的実装については、前述の受信モジュール８０１を参照する。受信装置の別の任意的実装については、前述の受信装置１０２を参照する。詳細事項は、ここで繰り返し記載されない。
【０２１６】
図８に示す第２受信装置は、図１０に示す方法を実行するよう構成されて良い。
【０２１７】
図１０は本発明の一実施形態による第１シンボルタイミング同期方法のフローチャートである。図１０に示すように、方法は以下のステップを含む。
【０２１８】
Ｓ１００１。同期信号を受信する。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０２１９】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０２２０】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０２２１】
Ｓ１００２。ローカルに格納されたＮ１個の汎用ＺＣシーケンスの各々を用いて受信した同期信号に対して第１スライド相関演算を実行し、ローカルに格納されたＮ２個の汎用ＺＣシーケンスの少なくとも２つのグループの各々をトラバースし、トラバースした汎用ＺＣシーケンスの各グループについて、Ｎ２個の汎用ＺＣシーケンスのグループの中の各汎用ＺＣシーケンスを用いて受信した同期信号に対して第２スライド相関演算を実行する。
【０２２２】
Ｓ１００３。各第１スライド相関演算の結果及び各第２スライド相関演算の結果に従い、シンボルタイミング同期を実行し、異なるセルが異なる第２信号に対応する場合、現在の受信装置の位置するセルのセル識別子を決定する、又は、異なるセルグループが異なる第２信号に対応する場合、各第１スライド相関演算の結果及び各第２スライド相関演算の結果に従い、現在の受信装置の位置するセルグループのセルグループ識別子を決定する。
【０２２３】
任意で、Ｎ１＝Ｎ２＝１である。
【０２２４】
Ｎ１個の汎用ＺＣシーケンスは第１汎用ＺＣシーケンスであり、Ｎ２個の汎用ＺＣシーケンスは第２汎用ＺＣシーケンスである。
【０２２５】
受信した同期信号に対して第１スライド相関演算を実行するステップは、ローカルに格納された第１汎用ＺＣシーケンスを用いて受信した同期信号に対して第１スライド相関演算を実行するステップを含む。
【０２２６】
ローカルに格納されたＮ２個の汎用ＺＣシーケンスの少なくとも２つのグループの各々をトラバースし、トラバースした汎用ＺＣシーケンスの各グループについて、Ｎ２個の汎用ＺＣシーケンスのグループの中の各汎用ＺＣシーケンスを用いて受信した同期信号に対して第２スライド相関演算を実行するステップは、
少なくとも２つのローカルに格納された第２汎用ＺＣシーケンスの各々を用いて受信した同期信号に対して第２スライド相関演算を実行するステップを含む。
【０２２７】
任意で、第１スライド相関演算及び第２スライド相関演算が実行される前に、方法は、現在の受信装置の周波数オフセット範囲内にあり且つシンボルレートの整数倍である各周波数オフセットｆｉを決定するステップを更に含む。
【０２２８】
ローカルに格納された第１汎用ＺＣシーケンスを用いて受信した同期信号に対して第１スライド相関演算を実行するステップは、
各決定した周波数オフセットｆｉについて、第１汎用ＺＣシーケンスを用いて受信した同期信号に対してスライド相関演算を実行して、計算により、周波数オフセットの中のスライド相関ピークＣｏｒｒ１＿ｆｉを取得し、ここでｉ＝１，．．．，及びＰ、ｉ及びＰは正整数であり、Ｐは決定した周波数オフセットの量である、ステップを含む。
【０２２９】
ローカルに格納された少なくとも２つの第２汎用ＺＣシーケンスの各々を用いて受信した同期信号に対して第２スライド相関演算を実行するステップは、
各決定した周波数オフセットｆｉについて、ローカルに格納された少なくとも２つの第２汎用ＺＣシーケンスの各々をトラバースし、各トラバースした第２汎用ＺＣシーケンスＳｊについて、第２汎用ＺＣシーケンスを用いて受信した同期信号に対してスライド相関演算を実行して、計算により周波数オフセットの中で第２汎用ＺＣシーケンスの中のスライド相関ピークＣｏｒｒ２＿ｆｉ＿Ｓｊを取得し、ここでｊ＝１，．．．，及びＱであり、ｊ及びＱは正整数であり、Ｑはローカルに格納された第２汎用ＺＣシーケンスの数である、ステップを含む。
【０２３０】
各第１スライド相関演算の結果及び各第２スライド相関演算の結果に従いシンボルタイミング同期を実行するステップは、
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び現在の受信装置の位置するセルに対応する第２汎用ＺＣシーケンスＳ０を決定し、決定した周波数オフセットｆ０に対応するスライド相関ピークＣｏｒｒ１＿ｆ０の時間ドメイン位置、決定した周波数オフセットｆ０の中の第２汎用ＺＣシーケンスＳ０の中のスライド相関ピークＣｏｒｒ２＿ｆ０＿Ｓ０の時間ドメイン位置、予め知られ且つ同期信号内の第１汎用ＺＣシーケンスにより占有される開始シンボルの時間ドメイン位置と同期信号内の第２汎用ＺＣシーケンスにより占有される開始シンボルの時間ドメイン位置との間の距離に従い、シンボルタイミング同期を実行するステップを含む。
【０２３１】
任意で、各第１スライド相関演算の結果及び各第２スライド相関演算の結果に従い、現在の受信装置の位置するセルのセル識別子を決定するステップは、セル識別子と第２汎用ＺＣシーケンスとの間の予め格納された対応に従い、第２汎用ＺＣシーケンスＳ０に対応するセル識別子が現在の受信装置の位置するセルのセル識別子であることを決定するステップを含み、及び／又は、
各第１スライド相関演算の結果及び各第２スライド相関演算の結果に従い、現在の受信装置の位置するセルグループのセルグループ識別子を決定するステップは、セルグループ識別子と第２汎用ＺＣシーケンスとの間の予め格納された対応に従い、第２汎用ＺＣシーケンスＳ０に対応するセルグループ識別子が現在の受信装置の位置するセルグループのセルグループ識別子であることを決定するステップを含む。
【０２３２】
任意で、全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び現在の受信装置の位置するセルに対応する第２汎用ＺＣシーケンスＳ０を決定するステップは、
スライド相関ピークＣｏｒｒ＿ｍａｘに対応する周波数オフセットがｆ０であることを決定するステップであって、Ｃｏｒｒ＿ｍａｘ＝ＭＡＸｉ，ｊ｛Ｃｏｒｒ１＿ｆｉ＋Ｃｏｒｒ２＿ｆｉ＿Ｓｊ｝である、ステップと、
スライド相関ピークＣｏｒｒ＿ｍａｘに対応する第２汎用ＺＣシーケンスがＳ０であることを決定するステップと、を含む。
【０２３３】
全ての周波数オフセットｆｉから、各取得したスライド相関ピークＣｏｒｒ１＿ｆｉ及び各取得したスライド相関ピークＣｏｒｒ２＿ｆｉ＿Ｓｊに従い、実際の周波数オフセットに最も近い周波数オフセットｆ０及び現在の受信装置の位置するセルに対応する第２汎用ＺＣシーケンスＳ０を決定するステップは、
全ての取得したＣｏｒｒ１＿ｆｉの中の最大スライド相関ピークに対応する周波数オフセットが全ての取得したＣｏｒｒ２＿ｆｉ＿Ｓｊの中の最大スライド相関ピークに対応する周波数オフセットに等しい場合、ｆ０が対応する周波数オフセットであると決定し、全てのＣｏｒｒ２＿ｆ０＿Ｓｊの中の最大スライド相関ピークに対応する第２汎用ＺＣシーケンスがＳ０であると決定するステップを含む。
【０２３４】
任意で、第１汎用ＺＣシーケンスは時間ドメインにおいて第２汎用ＺＣシーケンスより前にあり、
シンボルタイミング同期は、
第１汎用ＺＣシーケンスにより占有される開始シンボルの位置ｐｏｓ１が
【数２１】
0006556950.tif 000022
であると決定するステップであって、
ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置であり、ｘ＝ｘ２−ｘ１であり、ｙは予め知られ且つ同期信号の中の第１汎用ＺＣシーケンスの開始点の時間ドメイン位置と同期信号の中の第２汎用ＺＣシーケンスの開始点の時間ドメイン位置との間の距離であり、ｕ１は第１汎用ＺＣシーケンスのルートインデックスであり、ｕ２は第２汎用ＺＣシーケンスのルートインデックスであり、Ｌ１は第１汎用ＺＣシーケンスの長さであり、Ｌ２は第２汎用ＺＣシーケンスの長さである、ステップと、
第１汎用ＺＣシーケンスにより占有される開始シンボルの決定した位置及び予め知られたシンボル長に従い、受信信号の中の各シンボルの位置を決定するステップと、
以下の３つの演算：
予め知られ且つフレーム内の第１汎用ＺＣシーケンスの相対位置に従い、受信信号の中のフレーム開始位置を決定する、
予め知られ且つサブフレーム内の第１汎用ＺＣシーケンスの相対位置に従い、受信信号の中のサブフレーム開始位置を決定する、又は、
予め知られ且つタイムスロット内の第１汎用ＺＣシーケンスの相対位置に従い、受信信号の中のタイムスロット開始位置を決定する、
のうちの少なくとも１つを実行するステップと、を含む。
【０２３５】
任意で、全ての周波数オフセットｆｉから、実際の周波数オフセットに最も近い周波数オフセットｆ０を決定した後に、方法は、
周波数オフセットｆ０の中のスライド相関ピークＣｏｒｒ１＿ｆ０の時間ドメイン位置、周波数オフセットｆ０の中の第２汎用ＺＣシーケンスの中のスライド相関ピークＣｏｒｒ２＿ｆ０＿Ｓ０の時間ドメイン位置、予め知られ且つ同期信号の中の第１汎用ＺＣシーケンスにより占有される開始シンボルの時間ドメイン位置と同期信号の中の第２汎用ＺＣシーケンスにより占有される開始シンボルの時間ドメイン位置との間の距離、及び周波数オフセットｆ０に従い、実際の周波数オフセットＦを決定するステップ、を更に含む。
【０２３６】
任意で、
【数２２】
0006556950.tif 000023
ここで、Ｂはシンボルレートであり、Ｌ１は第１汎用ＺＣシーケンスの長さであり、Ｌ２は第２汎用ＺＣシーケンスの長さであり、
ｘ１はスライド相関ピークＣｏｒｒ１＿ｆ０の時間ドメイン位置であり、ｘ２はスライド相関ピークＣｏｒｒ２＿ｆ０＿Ｓ０の時間ドメイン位置であり、ｘ＝ｘ２−ｘ１であり、ｙは予め知られ且つ同期信号の中の第１汎用ＺＣシーケンスにより占有される開始シンボルの時間ドメイン位置と同期信号の中の第２汎用ＺＣシーケンスにより占有される開始シンボルの時間ドメイン位置との間の距離であり、ｕ１は第１汎用ＺＣシーケンスのルートインデックスであり、ｕ２は第２汎用ＺＣシーケンスのルートインデックスであり、Ｌ１は第１汎用ＺＣシーケンスの長さであり、Ｌ２は第２汎用ＺＣシーケンスの長さである。
【０２３７】
任意で、第１信号及び第２信号は、時分割及び／又は周波数分割方法で送信され、
第１信号の中のＮ１個の汎用ＺＣシーケンスは時分割及び／又は周波数分割方法で送信され、
第２信号の中のＮ２個の汎用ＺＣシーケンスは時分割及び／又は周波数分割方法で送信される。
【０２３８】
方法の別の任意的実装については、前述の受信装置１０２の処理を参照する。詳細事項は、ここで繰り返し記載されない。
【０２３９】
図１１は本発明の一実施形態による第２シンボルタイミング同期方法のフローチャートである。図１１に示すように、方法は以下のステップを含む。
【０２４０】
Ｓ１１０１。同期信号を決定する。ここで、同期信号は第１信号及び第２信号を含み、第１信号はＮ１個の汎用ＺＣシーケンスを含み、第２信号はＮ２個の汎用ＺＣシーケンスを含み、Ｎ１及びＮ２は正整数であり、汎用ＺＣシーケンスは、
ＺＣ（ｎ）＝ｅ−ｊπｕｎ（ｎ＋１＋２ｑ）／Ｌ，ｑ∈Ｚ，Ｌ∈Ｚ＋，ｎ＝０，１，．．．，Ｌ−１，０＜｜ｕ｜＜Ｌ，ｕ∈Ｒであり、
ｕは汎用ＺＣシーケンスのルートインデックスであり、ｑは汎用ＺＣシーケンスのオフセットインデックスであり、Ｌは汎用ＺＣシーケンスの長さであり、Ｌは正整数である。
【０２４１】
第１信号の中の全ての汎用ＺＣシーケンスのルートインデックス、オフセットインデックス、及び長さは同じであって良く、又は異なって良く、異なるセルは同じ第１信号に対応する。第２信号の中の全ての汎用ＺＣシーケンスのルートインデックス、オフセットインデックス、及び長さは同じであって良く、又は異なって良く、異なるセル又は異なるセルグループは異なる第２信号に対応する。
【０２４２】
Ｎ１個の汎用ＺＣシーケンス及びＮ２個の汎用ＺＣシーケンスを含む（Ｎ１＋Ｎ２）個の汎用ＺＣシーケンスの中に少なくとも２つの汎用ＺＣシーケンスがあり、２つの汎用ＺＣシーケンスのルートインデックスは異なる。
【０２４３】
Ｓ１１０２。決定された同期信号を送信する。ここで、同期信号は、シンボルタイミング同期のために使用され、異なるセルが異なる第２信号に対応する場合、同期信号はセル識別子を決定するために更に使用され、又は、異なるセルグループが異なる第２信号に対応する場合、同期信号はセルグループ識別子を決定するために更に使用される。
【０２４４】
任意で、Ｎ１＝Ｎ２＝１である。
【０２４５】
任意で、同期信号は、キャリア周波数同期のために更に使用される。
【０２４６】
任意で、第１信号及び第２信号は、時分割及び／又は周波数分割方法で送信され、
第１信号の中のＮ１個の汎用ＺＣシーケンスは時分割及び／又は周波数分割方法で送信され、
第２信号の中のＮ２個の汎用ＺＣシーケンスは時分割及び／又は周波数分割方法で送信される。
【０２４７】
方法の別の任意的実装については、前述の送信装置１０１の処理を参照する。詳細事項は、ここで繰り返し記載されない。
【０２４８】
纏めると、本発明の本実施形態では、前述の構造の同期信号が使用されるので、受信装置は、スライド相関がＮ１個の汎用ＺＣシーケンスに対して実行されたときに生成されたスライド相関ピークとスライド相関がＮ２個の汎用ＺＣシーケンスに対して実行されたときに生成されたスライド相関ピークとの間の関係に従い、シンボルタイミング同期を実行して良い。これは、低コストＭ２Ｍ端末等が比較的大きな位相回転を補償するためにグリッド検索を複数回実行する必要のある既存方法と比べて、比較的低い実装複雑性を有する。
【０２４９】
さらに、同期シーケンスの任意的範囲は、比較的大きな周波数オフセットにおいて比較的小さい。したがって、比較的大きな周波数オフセットにおける同期信号の同期性能が要件を満たし、及び（別のセルからの）同一チャネル干渉の場合に干渉が効果的に耐えられるように、複数のセル間の同期信号の設計は見直される必要がある。
【０２５０】
本発明の本実施形態では、受信装置は、スライド相関演算に従い、受信装置の位置するセルのセル識別子又は受信装置の位置するセルグループのセルグループ識別子を更に決定して良い。したがって、同期信号は、比較的大きな周波数オフセットにおいて干渉に耐える。例えば、異なるセルの単一周波数ネットワークでは、同期信号は、比較的大きな周波数オフセットにおいてセル間干渉に効果的に耐えることができる。
【０２５１】
さらに、受信装置は、スライド相関演算の結果に従い、キャリア周波数同期、つまり周波数オフセット推定を実行して良い。
【０２５２】
当業者は、本発明の実施形態が方法、システム、又はコンピュータプログラム製品として提供されて良いことを理解すべきである。したがって、本発明は、ハードウェアのみの実施形態、ソフトウェアのみの実施形態、又はソフトウェアとハードウェアとの組合せを有する実施形態の形式を使用して良い。さらに、本発明は、コンピュータ使用可能プログラムコードを含む１又は複数のコンピュータ使用可能記憶媒体（ディスクメモリ、ＣＤ−ＲＯＭ、光メモリ、等を含むが、これらに限定されない）に実装されるコンピュータプログラム製品の形式を使用して良い。
【０２５３】
本発明は、本発明の実施形態による方法、装置（システム）及びコンピュータプログラム製品のフローチャート及び／又はブロック図を参照して記載される。理解されるべきことに、コンピュータプログラム命令は、フローチャート及び／又はブロック図の中の各々の処理及び／又は各々のブロック、及び／又はフローチャート及び／又はブロック図の中の処理及び／又はブロックの組合せを実施するために使用されて良い。これらのコンピュータプログラム命令は、機械を生成するために、汎用コンピュータ、専用コンピュータ、内蔵プロセッサ、又は任意の他のプログラマブルデータ処理装置のプロセッサに対して提供されて良く、したがって、コンピュータ又は任意の他のプログラマブルデータ処理装置のプロセッサにより実行される命令は、フローチャートの中の１又は複数の処理及び／又はブロック図の中の１又は複数のブロックの中の特定の機能を実装する装置を生成できるようにする。
【０２５４】
これらのコンピュータプログラム命令は、コンピュータ又は任意の他のプログラマブルデータ処理装置に特定の方法で動作するよう指示できるコンピュータ可読メモリに格納されて良く、したがって、コンピュータ可読メモリに格納された命令は、命令装置を含む製品を生成できる。命令装置は、フローチャートの中の１又は複数の処理の中の及び／又はブロック図の中の１又は複数のブロックの中の特定の機能を実装する。
【０２５５】
これらのコンピュータプログラム命令は、コンピュータ又は別のプログラマブルデータ処理装置にロードされて良く、したがって、一連の動作及びステップが該コンピュータ又は別のプログラマブル装置で実行され、それによりコンピュータにより実施される処理を生成する。したがって、コンピュータ又は別のプログラマブル装置で実行される命令は、フローチャートの中の１又は複数の処理の中の及び／又はブロック図の中の１又は複数のブロックの中の特定の機能を実施するステップを提供する。
【０２５６】
本発明の幾つかの実施形態が記載されたが、当業者は、基本的な発明の概念を学習すると、これらの実施形態に変化及び変更を行うことができる。したがって、以下の請求項は、好適な実施形態及び本発明の範囲に包含される全ての変化及び変更をカバーするものと考えられるべきである。
【０２５７】
明らかに、当業者は、本発明の実施形態の精神及び範囲から逸脱することなく本発明の実施形態に種々の変更及び変形をなし得る。本発明は、これらの変更及び変形が以下の請求項により定められる保護範囲及びそれらの等価技術に包含される場合、これらの変更及び変形をカバーすることを意図する。
【図１】
0006556950.tif 000024
【図２Ａ】
0006556950.tif 000025
【図２Ｂ】
0006556950.tif 000026
【図２Ｃ】
0006556950.tif 000027
【図２Ｄ】
0006556950.tif 000028
【図２Ｅ】
0006556950.tif 000029
【図２Ｆ】
0006556950.tif 000030
【図２Ｇ】
0006556950.tif 000031
【図２Ｈ】
0006556950.tif 000032
【図３】
0006556950.tif 000033
【図４Ａ】
0006556950.tif 000034
【図４Ｂ】
0006556950.tif 000035
【図５Ａ】
0006556950.tif 000036
【図５Ｂ】
0006556950.tif 000037
【図５Ｃ】
0006556950.tif 000038
【図５Ｄ】
0006556950.tif 000039
【図６】
0006556950.tif 000040
【図７】
0006556950.tif 000041
【図８】
0006556950.tif 000042
【図９】
0006556950.tif 000043
【図１０】
0006556950.tif 000044
【図１１】
0006556950.tif 000045